(57)【要約】ＰｏＣ通信システム（１００）は、相互に通信可能な複数の端末装置（４０）と、端末装置（４０）に発言権を付与するＰｏＣサーバ（１０）とを備える。ＰｏＣサーバ（１０）は、発言権がいずれの端末装置（４０）にも付与されていない状態であるとき、上記状態を示す発言権取得可能状態提示音声データの再生を指示する再生コマンドを端末装置（４０）へ送信する発言権状態提示制御部（１２）を備える。これにより、多地点の電子会議システムにおいて、発言権の所在に応じた音声を端末装置で出力することができる。【特許請求の範囲】
【請求項１】
相互に通信可能な複数の端末装置と、
該端末装置に発言権を付与する電子会議管理装置とを備え、
上記端末装置、上記電子会議管理装置のいずれかが、発言権がいずれの端末装置にも付与されていない状態を検知したとき、
上記端末装置、上記電子会議管理装置のいずれかが、上記状態を示す発言権取得可能状態提示音声を上記端末装置にて出力する発言権状態提示制御手段を備えることを特徴とする電子会議システム。
【請求項２】
相互に通信可能な複数の端末装置と、該端末装置に発言権を付与する電子会議管理装置とを備える電子会議システムであって、
上記電子会議管理装置は、発言権がいずれの端末装置にも付与されていない状態であるとき、上記状態を示す発言権取得可能状態提示音声の出力を指示する出力コマンドを端末装置へ送信する発言権状態提示制御手段を備えることを特徴とする電子会議システム。
【請求項３】
相互に通信可能な複数の端末装置と、該端末装置に発言権を付与する電子会議管理装置とを備える電子会議システムであって、
上記電子会議管理装置は、発言権がいずれの端末装置にも付与されていない状態であるとき、上記状態を端末装置へ通知することにより、該端末装置において上記状態を示す発言権取得可能状態提示音声を出力させる発言権状態提示制御手段を備えることを特徴とする電子会議システム。
【請求項４】
上記発言権状態提示制御手段は、上記発言権取得可能状態提示音声を、上記出力コマンドとともに端末装置へ送信することを特徴とする請求項２に記載の電子会議システム。
【請求項５】
上記端末装置は、上記発言権取得可能状態提示音声データを記憶部から読み出して再生する発言権状態提示手段を備えることを特徴とする請求項２または３に記載の電子会議システム。
【請求項６】
上記端末装置における発言権取得可能状態提示音声の出力は、発言権がいずれの端末装置にも付与されていない状態が一定時間経過してから行われることを特徴とする請求項２または３に記載の電子会議システム。
【請求項７】
相互に通信可能な複数の端末装置と、該端末装置に発言権を付与する電子会議管理装置とを備える電子会議システムであって、
上記電子会議管理装置は、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴とする電子会議システム。
【請求項８】
相互に通信可能な複数の端末装置と、該端末装置に発言権を付与する電子会議管理装置とを備える電子会議システムであって、
上記電子会議管理装置は、いずれかの端末装置が発言権を獲得した場合、その旨を上記端末装置に通知し、
上記端末装置は、上記電子会議管理装置から、いずれかの端末装置が発言権を獲得したことを示す上記通知を受信すると、発言権がいずれの端末装置にも付与されていない状態であることを示す発言権取得可能状態提示音声の出力を停止する、あるいは、上記発言権取得可能状態提示音声の出力の音量を低下させることを特徴とする電子会議システム。
【請求項９】
上記電子会議管理装置は、
発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項２に記載の電子会議システム。
【請求項１０】
相互に通信可能な複数の端末装置のいずれかに発言権を付与する電子会議管理装置であって、
発言権がいずれの端末装置にも付与されていない状態であるとき、上記状態を示す発言権取得可能状態提示音声の出力を指示する出力コマンドを端末装置へ送信する発言権状態提示制御手段を備えることを特徴とする電子会議管理装置。
【請求項１１】
相互に通信可能な複数の端末装置のいずれかに発言権を付与する電子会議管理装置であって、
発言権がいずれの端末装置にも付与されていない状態であるとき、上記状態を端末装置へ通知することにより、該端末装置において、上記状態を示す発言権取得可能状態提示音声を出力させる発言権状態提示制御手段を備えることを特徴とする電子会議管理装置。
【請求項１２】
相互に通信可能な複数の端末装置のいずれかに発言権を付与する電子会議管理装置であって、
いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴とする電子会議管理装置。
【請求項１３】
相互に通信可能な複数の端末装置のいずれかに発言権を付与する電子会議管理装置であって、
いずれかの端末装置から発言権獲得要求を受信した場合、その旨を上記端末装置に通知することにより、当該端末装置において、発言権がいずれの端末装置にも付与されていない状態であることを示す発言権取得可能状態提示音声の出力を停止させる、あるいは、上記発言権取得可能状態提示音声の出力の音量を低下させる発言権状態提示制御手段を備えることを特徴とする電子会議管理装置。
【請求項１４】
発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項１０に記載の電子会議管理装置。
【請求項１５】
相互に通信可能な複数の端末装置と、該端末装置に発言権を付与する電子会議管理装置とを備える電子会議システムであって、
上記電子会議管理装置は、
いずれかの端末装置から発言権獲得要求を受信し、発言権を付与する発言権管理手段と、
上記発言権管理手段が端末装置に発言権を付与した場合、当該端末装置に対応付けられた端末識別音声の出力を指示する出力コマンドを他の端末装置に対して送信する発言権状態提示制御手段とを備えることを特徴とする電子会議システム。
【請求項１６】
相互に通信可能な複数の端末装置と、該端末装置に発言権を付与する電子会議管理装置とを備える電子会議システムであって、
上記電子会議管理装置は、
いずれかの端末装置から発言権獲得要求を受信し、発言権を付与する発言権管理手段と、
上記発言権管理手段が端末装置に発言権を付与した場合、発言権を付与した端末装置を識別するための端末識別子を、他の端末装置に対して送信することにより、他の端末装置において、上記端末識別子で識別された端末装置に対応付けられた端末識別音声を出力させる発言権状態提示制御手段とを備えることを特徴とする電子会議システム。
【請求項１７】
上記電子会議管理装置は、
発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項１５に記載の電子会議システム。
【請求項１８】
上記電子会議管理装置は、
発言権が付与された端末装置からの通話データから参加者の発話を検知する発話検知手段をさらに備え、
上記発言権状態提示制御手段は、上記発話検知手段が発話を検知した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信するものであることを特徴とする請求項１５に記載の電子会議システム。
【請求項１９】
上記電子会議管理装置は、
発言権が付与された端末装置からの通話データから参加者の発話を検知する発話検知手段をさらに備え、
上記発言権状態提示制御手段は、上記発話検知手段が発話を検知した場合、その旨を端末装置に通知することにより、当該端末装置において、発言権がいずれの端末装置にも付与されていない状態であることを示す発言権取得可能状態提示音声の出力の停止を指示させる、あるいは、上記発言権取得可能状態提示音声の出力の音量を低下させることを特徴とする請求項１６に記載の電子会議システム。
【請求項２０】
上記電子会議管理装置の発言権管理手段が付与する発言権には発言可能な期間である制限時間が設定されており、
上記電子会議管理装置の発言権状態提示制御手段が出力を指示する上記発言権取得可能状態提示音声は、上記制限時間の終了時に出力が終了するように作成されていることを特徴とする請求項１５、１６、１８、１９のいずれか１項に記載の電子会議システム。
【請求項２１】
上記電子会議管理装置の発言権状態提示制御手段が出力を指示する上記発言権取得可能状態提示音声は、上記制限時間の終了が近づくにつれて音声の速度が変化するように作成されていることを特徴とする請求項２０に記載の電子会議システム。
【請求項２２】
相互に通信可能な複数の端末装置のいずれかに発言権を付与する電子会議管理装置であって、
いずれかの端末装置から発言権獲得要求を受信し、発言権を付与する発言権管理手段と、
上記発言権管理手段が端末装置に発言権を付与した場合、当該端末装置に対応付けられた端末識別音声の出力を指示する出力コマンドを他の端末装置に対して送信する発言権状態提示制御手段とを備えることを特徴とする電子会議管理装置。
【請求項２３】
相互に通信可能な複数の端末装置のいずれかに発言権を付与する電子会議管理装置であって、
いずれかの端末装置から発言権獲得要求を受信し、発言権を付与する発言権管理手段と、
上記発言権管理手段が端末装置に発言権を付与した場合、発言権を付与した端末装置を識別するための端末識別子を、他の端末装置に対して送信することにより、他の端末装置において、端末識別子で識別された端末装置に対応付けられた端末識別音声を出力させる発言権状態提示制御手段とを備えることを特徴とする電子会議管理装置。
【請求項２４】
発言権が付与された端末装置からの通話データから参加者の発話を検知する発話検知手段をさらに備え、
上記発言権状態提示制御手段は、上記発話検知手段が発話を検知した場合、発言権が付与された端末装置に対応付けられた端末識別音声の出力の停止を指示するコマンド、あるいは、上記端末識別音声の出力の音量を低下させることを指示するコマンドを他の端末装置に対して送信するものであることを特徴とする請求項２２に記載の電子会議管理装置。
【請求項２５】
発言権が付与された端末装置からの通話データから参加者の発話を検知する発話検知手段をさらに備え、
上記発言権状態提示制御手段は、上記発話検知手段が発話を検知した場合、発言が開始されたことを他の端末装置に対して通知することにより、該端末装置において、発言権が付与された端末装置に対応付けられた端末識別音声の出力を停止させる、あるいは、上記端末識別音声の出力の音量を低下させることを特徴とする請求項２３に記載の電子会議管理装置。
【請求項２６】
上記発言権管理手段が付与する発言権には発言可能な期間である制限時間が設定されており、
上記発言権状態提示制御手段が出力を指示する上記端末識別音声は、上記制限時間の終了時に出力が終了するように作成されていることを特徴とする請求項２２〜２５のいずれか１項に記載の電子会議管理装置。
【請求項２７】
上記発言権状態提示制御手段が出力を指示する上記端末識別音声は、上記制限時間の終了が近づくにつれて音声の速度が変化するように作成されていることを特徴とする請求項２６に記載の電子会議管理装置。
【請求項２８】
上記電子会議管理装置は、
音声データを格納した記憶部をさらに備え、
上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴とする請求項１〜９、１５〜２１のいずれか１項に記載の電子会議システム。
【請求項２９】
上記電子会議管理装置は、
音声データを格納した記憶部をさらに備え、
上記発言権状態提示制御手段が、発言権の状態を端末装置へ通知する際、発言権取得可能状態提示音声データ、端末識別音声データを上記記憶部より読み出して端末装置へ送信するものであることを特徴とする請求項１〜９、１５〜２１のいずれか１項に記載の電子会議システム。
【請求項３０】
音声データを格納した記憶部をさらに備え、
上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴とする請求項１０〜１４、２２〜２７のいずれか１項に記載の電子会議管理装置。
【請求項３１】
音声データを格納した記憶部をさらに備え、
上記発言権状態提示制御手段が、発言権の状態を端末装置へ通知する際、発言権取得可能状態提示音声データ、端末識別音声データを上記記憶部より読み出して端末装置へ送信するものであることを特徴とする請求項１０〜１４、２２〜２７のいずれか１項に記載の電子会議管理装置。
【請求項３２】
相互に通信可能な複数の端末装置と、該端末装置に発言権を付与する電子会議管理装置とを備える電子会議システムを構成する端末装置であって、
自端末が発言権を開放してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声を出力する発言権状態提示手段を備えることを特徴とする端末装置。
【請求項３３】
相互に通信可能な複数の端末装置と、該端末装置に発言権を付与する電子会議管理装置とを備える電子会議システムを構成する端末装置であって、
他の端末装置からの最後の通信を受信してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声の出力を開始する発言権状態提示手段を備えることを特徴とする端末装置。
【請求項３４】
通話データから発言の内容を認識する音声認識手段をさらに備え、
上記発言権状態提示手段が、上記音声認識手段が認識した内容に基づいて、出力する発言権取得可能状態提示を選択するものであることを特徴とする請求項３２または３３に記載の端末装置。
【請求項３５】
相互に通信可能な複数の端末装置と、該端末装置に発言権を付与する電子会議管理装置とを備える電子会議システムを構成する端末装置であって、
上記電子会議管理装置からいずれの端末装置に発言権が付与されたかを示す発言権情報を受信する発言権情報取得手段と、
発言権が付与された端末装置に対応付けられた端末識別音声データを記憶部より読み出して再生する発言権状態提示手段とを備えることを特徴とする端末装置。
【請求項３６】
相互に通信可能な複数の端末装置と、該端末装置に発言権を付与する電子会議管理装置とを備える電子会議システムにおける電子会議管理方法であって、
上記電子会議管理装置の発言権状態提示制御手段が、発言権がいずれの端末装置にも付与されていない状態であるとき、上記状態であることを示す発言権取得可能状態提示音声の出力を指示する出力コマンドを端末装置へ送信することを特徴とする電子会議管理方法。
【請求項３７】
相互に通信可能な複数の端末装置と、該端末装置に発言権を付与する電子会議管理装置とを備える電子会議システムにおける電子会議管理方法であって、
上記電子会議管理装置の発言権状態提示制御手段が、発言権がいずれの端末装置にも付与されていない状態であるとき、上記状態を端末装置へ通知することにより、端末装置において、上記状態であることを示す発言権取得可能状態提示音声を出力させることを特徴とする電子会議管理方法。
【請求項３８】
相互に通信可能な複数の端末装置と、該端末装置に発言権を付与する電子会議管理装置とを備える電子会議システムにおける電子会議管理方法であって、
上記電子会議管理装置の発言権状態提示制御手段が、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信することを特徴とする電子会議管理方法。
【請求項３９】
相互に通信可能な複数の端末装置と、該端末装置に発言権を付与する電子会議管理装置とを備える電子会議システムにおける電子会議管理方法であって、
上記電子会議管理装置の発言権状態提示制御手段が、いずれかの端末装置から発言権獲得要求を受信した場合、その旨を端末装置へ通知することにより、発言権がいずれの端末装置にも付与されていない状態であることを示す発言権取得可能状態提示音声の出力を停止させる、あるいは、上記発言権取得可能状態提示音声の出力の音量を低下させることを特徴とする電子会議管理方法。
【請求項４０】
相互に通信可能な複数の端末装置と、該端末装置に発言権を付与する電子会議管理装置とを備える電子会議システムにおける電子会議管理方法であって、
上記電子会議管理装置の発言権管理手段が、いずれかの端末装置から発言権獲得要求を受信し、発言権を付与した場合に、
上記電子会議管理装置の発言権状態提示制御手段が、当該端末装置に対応付けられた端末識別音声の出力を指示する出力コマンドを他の端末装置に対して送信することを特徴とする電子会議管理方法。
【請求項４１】
相互に通信可能な複数の端末装置と、該端末装置に発言権を付与する電子会議管理装置とを備える電子会議システムにおける電子会議管理方法であって、
上記電子会議管理装置の発言権管理手段が、いずれかの端末装置から発言権獲得要求を受信し、発言権を付与した場合に、
上記電子会議管理装置の発言権状態提示制御手段が、発言権を付与した端末装置を識別するための端末識別子を、他の端末装置に対して送信することにより、他の端末装置において、端末識別子で識別された端末装置に対応付けられた端末識別音声を出力させることを特徴とする電子会議管理方法。
【請求項４２】
請求項１０〜１４、２２〜２７、３０、３１のいずれか１項に記載の電子会議管理装置を動作させる制御プログラムであって、コンピュータを上記の各手段として機能させるための制御プログラム。
【請求項４３】
請求項３２〜３５のいずれか１項に記載の端末装置を動作させる制御プログラムであって、コンピュータを上記の各手段として機能させるための制御プログラム。
【請求項４４】
請求項４２または４３に記載の制御プログラムを記録したコンピュータ読み取り可能な記録媒体。
【発明の詳細な説明】
【技術分野】
【０００１】  本発明は、例えば携帯電話を用いたＰｏＣ（Ｐｕｓｈ−ｔｏ  Ｔａｌｋ  ｏｖｅｒ  Ｃｅｌｌｕｌａｒ）通信のグループセッションのように、発言者に発言権を付与する電子会議システム、電子会議管理装置、端末装置、電子会議管理方法、制御プログラムおよびそれを記録したコンピュータ読み取り可能な記録媒体に関するものである。
【背景技術】
【０００２】  近年、音声を使ったアプリケーションとして、Ｐｕｓｈ−ｔｏ−Ｔａｌｋ（ＰＴＴ）が注目を浴びている。ＰＴＴは、インターネットプロトコル（ＩＰ）を利用してデータ通信網で通話を行う、いわゆるＶｏＩＰ（Ｖｏｉｃｅ  ｏｖｅｒ  Ｉｎｔｅｒｎｅｔ  Ｐｒｏｔｏｃｏｌ）の１つである。特に今日、携帯電話やＰＤＡなどの携帯用の通信端末装置でＰＴＴを実現するための通信手段として、Ｐｕｓｈ−ｔｏ−Ｔａｌｋ  ｏｖｅｒ  Ｃｅｌｌｕｌａｒ（ＰｏＣ）が開発されており、特に携帯電話への搭載が検討されている。【０００３】  ＰｏＣとは、「押して、話す」（Ｐｕｓｈ−ｔｏ−Ｔａｌｋ）というトランシーバのような通話のスタイルを、携帯電話などの通信端末装置で実現するための技術およびサービスのことをいう。【０００４】  ＰｏＣ通信は、データの伝送は双方から可能であるが、データの伝送は、常に一方からもう一方への一方向に限られる半二重通信方式を採用している。つまり、ＰｏＣ通信は、トランシーバと同様、通話用のボタンを押している間のみ、接続した相手に音声を送ることができ、その間は相手からの音声を受け取ることができない。【０００５】  しかし、ＰｏＣ通信には、従来の携帯電話のように相手の電話番号をダイヤルするのではなく、通話可能な相手を選択しボタンを押すことで、わずか数秒で接続できるというメリットがある。また、従来の回線交換方式と違ってデータ通信網を使うため、通話コストが安くなるというメリットも大きい。【０００６】  さらに、ＰｏＣ通信によれば、１対１の通信だけではなく、グルーピングした複数の相手との同時接続（グループセッション）が可能である。すなわち、１台の携帯電話に入力した音声を、グルーピングした複数の携帯電話に一斉送信することができる。【０００７】  図１２は、ＰｏＣ通信による上記グループセッションの一例を示した図である。図１２には、ある通信事業者の提供する携帯電話サービスに加入するユーザの携帯電話Ａ〜Ｅが示されている。携帯電話Ａ〜Ｅは、通信事業者が提供する基地局１０３…および無線通信網１０４を介して、互いに通信することが可能である。【０００８】  ここで、例えば、携帯電話Ａのユーザが、グループセッションを行うために、携帯電話Ｂ〜ＥのユーザをグループＧとして登録し、グループＧのメンバリストを作成したとする。そして、携帯電話Ａのユーザは、登録したグループＧを選択して、通話ボタンを一押しする。この操作により、携帯電話Ａのユーザは、グループＧに登録されたユーザの携帯電話Ｂ〜Ｅへ、基地局１０３および無線通信網１０４を介して、自分の音声を送信することができる。【０００９】  上記の技術を用いることにより、発話者は、電子メールを送ったり電話をかけたりする代わりに、グループに登録されたメンバ全員に対して、ボタンを一押しするだけで、自分の音声を一斉に送信できる。例えば、職場の責任者全員を対象にして電話会議をキー操作１つで実現することなどが可能となる。【００１０】  なお、本願発明に関連する先行技術文献としては、次の特許文献１、２がある。特許文献１には、休眠通信装置のグループを目覚めさせる際の待ち時間を低減するための方法および装置が記載されている。また、特許文献��には、発言権の管理を行うテレビ会議システムが記載されている。
【特許文献１】日本国公表特許公報「特表２００４−５２６３９２号公報（公表日：２００４年８月２６日）」
【特許文献２】日本国公開特許公報「特開平８−２９８６５３号公報（公開日：１９９６年１１月１２日）」
【発明の開示】
【００１１】  （発明が解決しようとする課題）
従来のＰｏＣ通信のグループセッションでは、上述のとおり、発言は１人しかできないため、発言は発言権を獲得してからとなる。つまり、発言権が付与された端末のみ、データ送信手段を有効にする。なお、発言権の管理はサーバが行い、発言権の所在や参加者の状態を示すため、携帯電話の画面で参加者の状態を表示することが提案されている。
【００１２】  しかしながら、ユーザが携帯電話を耳に当てて使用している場合、発言権や他参加者の確認のためにその都度携帯電話を耳から離し、画面を見るのでは操作が煩雑になる。
【００１３】  本発明は、上記の問題点に鑑みてなされたものであり、その目的は、多地点の電子会議システムにおいて、発言権の所在に応じた音声を端末装置で出力することができる電子会議システム、電子会議管理装置、端末装置、電子会議管理方法、制御プログラムおよびそれを記録したコンピュータ読み取り可能な記録媒体を実現することにある。
【００１４】  （課題を解決するための手段）
また、本発明に係る電子会議システムは、相互に通信可能な複数の端末装置と、該端末装置に発言権を付与する電子会議管理装置とを備え、上記端末装置、上記電子会議管理装置のいずれかが、発言権がいずれの端末装置にも付与されていない状態を検知したとき、上記端末装置、上記電子会議管理装置のいずれかが、上記状態を示す発言権取得可能状態提示音声を上記端末装置にて出力する発言権状態提示制御手段を備えることを特徴としている。
【００１５】  上記の構成により、電子会議の際、端末装置、電子会議管理装置のいずれかが、発言権がいずれの端末装置にも付与されていない状態を検知したとき、端末装置、電子会議管理装置のいずれかが、発言権がいずれの端末装置にも付与されていない状態を示す発言権取得可能状態提示音声を端末装置にて出力する。よって、参加者は発言権の獲得を要求できる期間に、そのことを音声で確認できる。なお、端末装置が出力する音声の発言権取得可能状態提示音声データは、端末装置にあらかじめ格納されていてもよいし、外部からストリーミングデータとして取得してもよい。
【００１６】  また、本発明に係る電子会議システムは、相互に通信可能な複数の端末装置と、該端末装置に発言権を付与する電子会議管理装置とを備える電子会議システムであって、上記電子会議管理装置は、発言権がいずれの端末装置にも付与されていない状態であるとき、上記状態を示す発言権取得可能状態提示音声の出力を指示する出力コマンドを端末装置へ送信する発言権状態提示制御手段を備えることを特徴としている。
【００１７】  また、本発明に係る電子会議管理装置は、相互に通信可能な複数の端末装置のいずれかに発言権を付与する電子会議管理装置であって、発言権がいずれの端末装置にも付与されていない状態であるとき、上記状態を示す発言権取得可能状態提示音声の出力を指示する出力コマンドを端末装置へ送信する発言権状態提示制御手段を備えることを特徴としている。
【００１８】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、発言権がいずれの端末装置にも付与されていない状態であるとき、上記状態であることを示す発言権取得可能状態提示音声の出力を指示する出力コマンドを端末装置へ送信することを特徴としている。
【００１９】  上記の構成により、電子会議の際、上記電子会議管理装置は、発言権がいずれの端末装置にも付与されていないとき、その旨を示す発言権取得可能状態提示音声の出力を指示する出力コマンドを端末装置へ送信する。よって、参加者の端末装置では、発言権がいずれの端末装置にも付与されていないときに、その旨を示す、すなわち、発言権が取得可能であることを示す発言権取得可能状態提示音声を出力することができる。したがって、参加者は発言権の獲得を要求できる期間に、そのことを音声で確認できる。
【００２０】  また、本発明に係る電子会議システムは、相互に通信可能な複数の端末装置と、該端末装置に発言権を付与する電子会議管理装置とを備える電子会議システムであって、上記電子会議管理装置は、発言権がいずれの端末装置にも付与されていない状態であるとき、上記状態を端末装置へ通知することにより、該端末装置において上記状態を示す発言権取得可能状態提示音声を出力させる発言権状態提示制御手段を備えることを特徴としている。
【００２１】  また、本発明に係る電子会議管理装置は、相互に通信可能な複数の端末装置のいずれかに発言権を付与する電子会議管理装置であって、発言権がいずれの端末装置にも付与されていない状態であるとき、上記状態を端末装置へ通知することにより、該端末装置において、上記状態を示す発言権取得可能状態提示音声を出力させる発言権状態提示制御手段を備えることを特徴としている。
【００２２】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、発言権がいずれの端末装置にも付与されていない状態であるとき、上記状態を端末装置へ通知することにより、端末装置において、上記状態であることを示す発言権取得可能状態提示音声を出力させることを特徴としている。
【００２３】  上記の構成により、電子会議の際、上記電子会議管理装置は、発言権がいずれの端末装置にも付与されていないとき、その旨を端末装置へ通知する。よって、参加者の端末装置では、発言権がいずれの端末装置にも付与されていないことの通知を受信したとき、その旨を示す、すなわち、発言権が取得可能であることを示す発言権取得可能状態提示音声を出力することができる。したがって、参加者は発言権の獲得を要求できる期間に、そのことを音声で確認できる。
【００２４】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴としている。
【００２５】  また、本発明に係る電子会議管理装置は、相互に通信可能な複数の端末装置のいずれかに発言権を付与する電子会議管理装置であって、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴としている。
【００２６】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信することを特徴としている。
【００２７】  上記の構成により、電子会議の際、上記電子会議管理装置は、いずれかの端末装置から発言権獲得要求を受信した場合、発言権がいずれの端末装置にも付与されていない状態であることを示す発言権取得可能状態提示音声の出力の停止を指示するコマンド、あるいは、発言権取得可能状態提示音声の出力の音量を低下させることを指示するコマンドを他の端末装置に対して送信する。よって、他の端末装置では、発言権取得可能状態提示音声の出力が停止したこと、あるいは、発言権取得可能状態提示音声の出力の音量が低下したことによって、誰かに発言権が付与されたことが確認できるとともに、音声に妨げられずに発言を聞くことができる。
【００２８】  なお、発言権取得可能状態提示音声の出力の音量を低下させた場合には、発言権取得可能状態提示音声はＢＧＭ的に出力されることになる。また、電子会議管理装置からのコマンドに従って停止あるいは音量が低下させられる、端末装置における発言権取得可能状態提示音声の出力は、後述するように電子会議管理装置からの出力コマンドに従って開始されたものであってもよいが、それ以外のトリガ、例えば、端末装置のユーザの指示によって開始されたものであってもよい。
【００２９】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置が発言権を獲得した場合、その旨を上記端末装置に通知し、上記端末装置は、上記電子会議管理装置から、いずれかの端末装置が発言権を獲得したことを示す上記通知を受信すると、発言権がいずれの端末装置にも付与されていない状態であることを示す発言権取得可能状態提示音声の出力を停止する、あるいは、上記発言権取得可能状態提示音声の出力の音量を低下させることを特徴とする。
【００３０】  また、本発明に係る電子会議管理装置は、相互に通信可能な複数の端末装置のいずれかに発言権を付与する電子会議管理装置であって、いずれかの端末装置から発言権獲得要求を受信した場合、その旨を上記端末装置に通知することにより、当該端末装置において、発言権がいずれの端末装置にも付与されていない状態であることを示す発言権取得可能状態提示音声の出力を停止させる、あるいは、上記発言権取得可能状態提示音声の出力の音量を低下させる発言権状態提示制御手段を備えることを特徴としている。
【００３１】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、いずれかの端末装置から発言権獲得要求を受信した場合、その旨を端末装置へ通知することにより、発言権がいずれの端末装置にも付与されていない状態であることを示す発言権取得可能状態提示音声の出力を停止させる、あるいは、上記発言権取得可能状態提示音声の出力の音量を低下させることを特徴としている。
【００３２】  上記の構成により、電子会議の際、上記電子会議管理装置は、いずれかの端末装置から発言権獲得要求を受信した場合、その旨を端末装置へ通知する。そして、端末装置では、上記通知を受信することにより、発言権がいずれの端末装置にも付与されていない状態であることを示す発言権取得可能状態提示音声の出力の停止する、あるいは、発言権取得可能状態提示音声の出力の音量を低下させる。よって、他の端末装置では、発言権取得可能状態提示音声の出力が停止したこと、あるいは、発言権取得可能状態提示音声の出力の音量が低下したことによって、誰かに発言権が付与されたことが確認できるとともに、音声に妨げられずに発言を聞くことができる。
【００３３】  なお、発言権取得可能状態提示音声の出力の音量を低下させた場合には、発言権取得可能状態提示音声はＢＧＭ的に出力されることになる。また、電子会議管理装置からのコマンドに従って停止あるいは音量が低下させられる、端末装置における発言権取得可能状態提示音声の出力は、後述するように電子会議管理装置からの出力コマンドに従って開始されたものであってもよいが、それ以外のトリガ、例えば、端末装置のユーザの指示によって開始されたものであってもよい。
【００３４】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信し、発言権を付与する発言権管理手段と、上記発言権管理手段が端末装置に発言権を付与した場合、当該端末装置に対応付けられた端末識別音声の出力を指示する出力コマンドを他の端末装置に対して送信する発言権状態提示制御手段とを備えることを特徴としている。
【００３５】  また、本発明に係る電子会議管理装置は、相互に通信可能な複数の端末装置のいずれかに発言権を付与する電子会議管理装置であって、いずれかの端末装置から発言権獲得要求を受信し、発言権を付与する発言権管理手段と、上記発言権管理手段が端末装置に発言権を付与した場合、当該端末装置に対応付けられた端末識別音声の出力を指示する出力コマンドを他の端末装置に対して送信する発言権状態提示制御手段とを備えることを特徴としている。
【００３６】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権管理手段が、いずれかの端末装置から発言権獲得要求を受信し、発言権を付与した場合に、上記電子会議管理装置の発言権状態提示制御手段が、当該端末装置に対応付けられた端末識別音声の出力を指示する出力コマンドを他の端末装置に対して送信することを特徴としている。
【００３７】  上記の構成により、電子会議の際、上記電子会議管理装置が、いずれかの端末装置から発言権獲得要求を受信し、発言権を付与した場合に、当該端末装置に対応付けられた端末識別音声の出力を指示する出力コマンドを他の端末装置に対して送信する。よって、他の端末装置において、発言権が付与された端末装置に対応付けられた端末識別音声を出力できる。それゆえ、参加者は、音声によって誰に発言権が付与されたかが確認できる。
【００３８】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信し、発言権を付与する発言権管理手段と、上記発言権管理手段が端末装置に発言権を付与した場合、発言権を付与した端末装置を識別するための端末識別子を、他の端末装置に対して送信することにより、他の端末装置において、上記端末識別子で識別された端末装置に対応付けられた端末識別音声を出力させる発言権状態提示制御手段とを備えることを特徴としている。
【００３９】  また、本発明に係る電子会議管理装置は、相互に通信可能な複数の端末装置のいずれかに発言権を付与する電子会議管理装置であって、いずれかの端末装置から発言権獲得要求を受信し、発言権を付与する発言権管理手段と、上記発言権管理手段が端末装置に発言権を付与した場合、発言権を付与した端末装置を識別するための端末識別子を、他の端末装置に対して送信することにより、他の端末装置において、端末識別子で識別された端末装置に対応付けられた端末識別音声を出力させる発言権状態提示制御手段とを備えることを特徴としている。
【００４０】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権管理手段が、いずれかの端末装置から発言権獲得要求を受信し、発言権を付与した場合に、上記電子会議管理装置の発言権状態提示制御手段が、発言権を付与した端末装置を識別するための端末識別子を、他の端末装置に対して送信することにより、他の端末装置において、端末識別子で識別された端末装置に対応付けられた端末識別音声を出力させることを特徴としている。
【００４１】  上記の構成により、電子会議の際、上記電子会議管理装置が、いずれかの端末装置から発言権獲得要求を受信し、発言権を付与した場合に、当該端末装置を識別するための端末識別子を、他の端末装置に対して送信する。そして、他の端末装置においては、受信した端末識別子に対応付けられた端末識別音声を出力する。それゆえ、参加者は、音声によって誰に発言権が付与されたかが確認できる。
【００４２】  また、本発明に係る端末装置は、相互に通信可能な複数の端末装置と、該端末装置に発言権を付与する電子会議管理装置とを備える電子会議システムを構成する端末装置であって、自端末が発言権を開放してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声を出力する発言権状態提示手段を備えることを特徴としている。
【００４３】  上記の構成により、各端末装置において、自端末が発言権を開放してから所定時間、自端末からの発言権獲得要求がない場合、あるいは、電子会議管理装置から他の端末装置に発言権が付与されたことの通知がない場合に、発言権がいずれの端末装置にも付与されていないと判断し、発言権がいずれの端末装置にも付与されていない旨を示す発言権取得可能状態提示音声を出力する。よって、参加者は発言権を要求できることを音声で確認できる。
【００４４】  また、本発明に係る端末装置は、相互に通信可能な複数の端末装置と、該端末装置に発言権を付与する電子会議管理装置とを備える電子会議システムを構成する端末装置であって、他の端末装置からの最後の通信を受信してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声の出力を開始する発言権状態提示手段を備えることを特徴としている。
【００４５】  上記の構成により、各端末装置において、他の端末装置からの最後の通信を受信してから所定時間、自端末からの発言権獲得要求がない場合、あるいは、電子会議管理装置から他の端末装置に発言権が付与されたことの通知がない場合に、発言権がいずれの端末装置にも付与されていないと判断し、発言権がいずれの端末装置にも付与されていない旨を示す発言権取得可能状態提示音声を出力する。よって、参加者は発言権を要求できることを音声で確認できる。
【００４６】  また、本発明に係る端末装置は、相互に通信可能な複数の端末装置と、該端末装置に発言権を付与する電子会議管理装置とを備える電子会議システムを構成する端末装置であって、上記電子会議管理装置からいずれの端末装置に発言権が付与されたかを示す発言権情報を受信する発言権情報取得手段と、発言権が付与された端末装置に対応付けられた端末識別音声データを記憶部より読み出して再生する発言権状態提示手段とを備えることを特徴としている。
【００４７】  上記の構成により、端末装置において、発言権が付与された端末装置に対応付けられた端末識別音声データを記憶部より読み出して再生することができる。よって、参加者は、端末識別音声データを聞くことで、誰に発言権が付与されているのかを確認できる。また、電子会議管理装置からはいずれの端末装置に発言権が付与されたかを示す発言権情報のみを送信すればよいため、電子会議管理装置の構成が簡潔である。
【００４８】  以上のように、本発明によれば、電子会議の際、参加者の端末装置において、発言権の所在に応じた音声を出力させるので、携帯電話等の端末装置を耳に当てた状態でも発言権の状態が分かるという効果を奏する。
【００４９】  なお、上記の電子会議管理装置および端末装置は、コンピュータによって実現してもよく、この場合には、コンピュータを上記各手段として動作させることにより上記の電子会議管理装置および端末装置をコンピュータにて実現させる電子会議管理装置および端末装置の制御プログラム、およびそれを記録したコンピュータ読み取り可能な記録媒体も、本発明の範疇に入る。
【図面の簡単な説明】
【００５０】
【図１】本発明の実施の形態に係るＰｏＣ通信システムの構成の概略を示す機能ブロック図である。
【図２】図１に示したＰｏＣ通信システムのネットワーク構成の概略を示す説明図である。
【図３】図１に示したＰｏＣ通信システムを構成する携帯電話のハードウェア構成の概略を示すブロック図である。
【図４】図１に示したＰｏＣ通信システムの動作の一例を示すシーケンス図である。
【図５】図１に示したＰｏＣ通信システムの動作の他の例を示すシーケンス図である。
【図６】図１に示したＰｏＣ通信システムを構成する携帯電話の動作の一例を示すフローチャートである。
【図７】図１に示したＰｏＣ通信システムの動作のさらに他の例を示すシーケンス図である。
【図８】図１に示したＰｏＣ通信システムの動作のさらに他の例を示すシーケンス図である。
【図９】図１に示したＰｏＣ通信システムの動作のさらに他の例を示すシーケンス図である。
【図１０】図１に示したＰｏＣ通信システムの動作のさらに他の例を示すシーケンス図である。
【図１１】図１に示したＰｏＣ通信システムの動作のさらに他の例を示すシーケンス図である。
【図１２】従来のＰｏＣ通信によるグループセッションの一例を示した説明図である。
【符号の説明】
【００５１】  １０  ＰｏＣサーバ（電子会議管理装置）
１１  発言権管理部（発言権管理手段）
１２  発言権状態提示制御部（発言権状態提示制御手段）
１３  記憶部
１５  発話検知部（発話検知手段）
１６  音声認識部（音声認識手段）
１７  提示用データ作成部（提示用データ作成手段）
４０  携帯電話（端末装置）
５０  記憶部
６１  発言権獲得／解放部（発言権獲得／解放手段）
６２  発言権情報取得部（発言権情報取得手段）
６３  発言権状態提示部（発言権状態提示手段）
１００  ＰｏＣ通信システム（電子会議システム）
【発明を実施するための最良の形態】
【００５２】  本発明の一実施の形態について図１から図１１に基づいて説明すれば、以下のとおりである。【００５３】  なお、本実施の形態では、本発明の端末装置として携帯電話、サーバ装置としてＰｏＣサーバを例に説明する。ただし、本発明は、ＰｏＣ通信システムに限定されず、参加者が発言権を獲得してから発言する電子会議システムに広く適用できる。また、上述の通り、「端末装置に発言権が付与される」とは、発言権が付与された端末装置のみデータ送信が可能であることを意味する。【００５４】  図２は、本実施の形態に係るＰｏＣ通信システムの概略構成を示す図である。【００５５】  図２に示すとおり、ＰｏＣ通信システム１００は、電子会議に参加するユーザが操作する携帯電話４０とＰｏＣサーバ１０とを少なくとも含んで構成される。各携帯電話４０は、携帯電話サービスの通信事業者が提供する携帯電話網を介してＰｏＣサーバ１０に接続されており、互いに通信可能である。なお、図中、携帯電話網として、基地局１０３およびそれらを統括制御する基地局制御装置１０２のみを示している。【００５６】  ＰｏＣ通信システム１００は、ＰｏＣ通信による情報の送信を行う携帯電話４０（例えば、携帯電話Ａ）と、その送信された情報の受信を行う携帯電話４０（例えば、携帯電話Ｂ・Ｃ）と、携帯電話Ａ〜Ｃ間のＰｏＣ通信を制御するＰｏＣサーバ１０とから構成されている。【００５７】  なお、ＰｏＣ通信システム１００は、携帯電話Ａ〜Ｃのそれぞれのプレゼンスを管理するプレゼンスサーバ１０１をさらに含んでいてもよい。プレゼンスサーバ１０１は、ＰｏＣサーバ１０が集中管理している、すべての携帯電話についてのプレゼンスを一元管理する。ここで、携帯電話のプレゼンスとは、携帯電話の利用状況や状態等の情報を意味する。具体的には、例えば、「オンライン」「オフライン」「（会議）オブザーバとして参加」、「（会議）参加中」等のアプリケーションの利用状況、および、「電源ＯＮ／ＯＦＦ」、「話し中」、「スピーカフォン−アクティブ（動作中）」等の携帯電話の状態が挙げられる。【００５８】  以下、ＰｏＣ通信システム１００の携帯電話４０およびＰｏＣサーバ１０の各構成要素について説明する。【００５９】  まず、ＰｏＣサーバ１０は、ＰｏＣ通信システム１００において、携帯電話Ａ〜Ｃが、ＰｏＣ通信によって、１対１あるいは１対多のセッションを確立し、通話を行う際に、種々の機能を提供する。【００６０】  ＰｏＣサーバ１０が有する機能は、各携帯電話のセッションを集中制御するＰｏＣ制御機能と、集中制御するＰｏＣサーバとセッション参加者となる携帯電話との中継を行うＰｏＣ参加機能とに分類することができるが、ＰｏＣサーバ１０の主な機能は以下の通りである。【００６１】  例えば、ＰｏＣ通信のセッションを確立する機能、話し手を識別するなどの発言を統制する機能、ＳＩＰ（Ｓｅｓｓｉｏｎ  Ｉｎｉｔｉａｔｉｏｎ  Ｐｒｏｔｏｃｏｌ）セッションの開始（終了）を制御する機能、セッション参加者の情報を提供する機能などが挙げられる。これらの機能により、１対１のＰｏＣによる通話、あるいは上述のようなグループセッションが実現される。【００６２】  一方、携帯電話Ａ〜Ｃは、Ｐｕｓｈ−���ｏ−Ｔａｌｋ（ＰＴＴ）による通話を実現するための機能を有する通信端末装置である。ユーザはこの携帯電話をトランシーバのように使用する。つまり、ユーザは発話する際にＰＴＴボタンを押す。なお、音声認識によって、携帯電話に入力される音声があらかじ登録した音声に合致した場合に、ＰＴＴボタンが押下されたと同様な動作を行なってもよい。【００６３】  各携帯電話Ａ〜Ｃは、通信事業者が提供する携帯電話網、つまり、基地局１０３およびそれらを統括制御する基地局制御装置１０２を介して、ＰｏＣサーバ１０およびプレゼンスサーバ１０１と通信することができる。これにより、各携帯電話Ａ〜Ｃのユーザは、それぞれの携帯電話を用いて互いにＰｏＣ通信による通信を実現することが可能となる。【００６４】  図３は、本発明のＰｏＣ通信システム１００における、各携帯電話Ａ〜Ｃ（以下、単に携帯電話と称す）の概略構成を示す図である。【００６５】  本実施の形態に係る携帯電話４０は、図３に示すように、無線通信部４２、無線通信アンテナ４２ａ、操作部４３、音声入力部４４、音声出力部４５、録音部４６、表示部４７、ＬＥＤ（Ｌｉｇｈｔ  Ｅｍｉｔｔｉｎｇ  Ｄｉｏｄｅ）４８、カメラ４９、記憶部５０、計時部５１、および上記の各部を統括制御する主制御部４１を備えて構成されている。【００６６】  無線通信部４２は、無線通信アンテナ４２ａを介して携帯電話網の基地局１０３と無線通信を行うための通信インターフェイスである。【００６７】  操作部４３は、ユーザが操作するためのボタンやダイヤル等である。操作部４３には、ユーザがＰｏＣ通信で発話する際に押下するＰＴＴボタン４３ａが含まれる。ＰＴＴボタン４３ａ等の操作時に操作部４３が発生した信号は、主制御部４１に送られる。【００６８】  音声入力部４４は、マイクであり、電話機能を実行した場合の送話時に、あるいはＰｏＣ通信機能を実行した場合の送信データの入力時に使用される。携帯電話の外部で発生した音声は、この音声入力部４４を介して、音声データとして携帯電話に取り込まれる。また、ＰｏＣ通信によって、他の携帯電話に音声を送信する場合は、この音声入力部４４を介して入力されたユーザの音声が送信情報としてＰｏＣサーバ１０に送られる。なお、本実施の形態では、ユーザがＰＴＴボタン４３ａを押下しながら音声入力部４４より入力し、ＰｏＣ通信で送信する音声情報を通話データと呼ぶ。【００６９】  音声出力部４５は、音声を出力するためのスピーカ等であり、ＰｏＣ通信を含む各種機能で使用される。音声出力部４５は、受話器音声出力部４５ａ、イヤフォン音声出力部４５ｂ、スピーカフォン音声出力部４５ｃを含む。【００７０】  受話器音声出力部４５ａは、通常の電話の受話器と同じようにして、携帯電話を耳に当てて用いる時に、音声が出力されるスピーカである。【００７１】  イヤフォン音声出力部４５ｂは、イヤフォンを接続するための音声出力端子を有しており、該端子にイヤフォンが接続されると、イヤフォンに対して音声を出力する。これにより、ユーザは、耳に装着したイヤフォンの小型のスピーカから音声が出力されるので、携帯電話を耳に当てながら保持しなくても、外部に音を漏らすことなく携帯電話の出力音声を聞くことができる。【００７２】  スピーカフォン音声出力部４５ｃは、スピーカフォン、すなわち、携帯電話の周囲に十分聞こえる音量で音声出力するためのスピーカである。スピーカフォンを使えば、例えば、表示部４７に表示される画像を見ながら通話を行いたい時や、１つの携帯電話で複数のユーザが音声を聞きたい時に、携帯電話を耳から離した位置に設置しても、ユーザは十分な音量で出力音声を聞くことができる。【００７３】  録音部４６は、無線通信部４２または音声入力部４４を介して外部より携帯電話に入力された音声を、音声データとして記憶部５０に記憶する。これにより、例えば、入力された音声がリアルタイムで音声出力部４５から音声出力されない場合でも、録音部４６によって記録した音声データを再生することにより、ユーザは後で聞くことが可能となる。【００７４】  表示部４７は、例えば液晶表示装置（ＬＣＤ）からなり、携帯電話に備わった各種アプリケーション機能の実行画面を表示する。例えば、ＰｏＣ通信機能を実行中であれば、現在その携帯電話が参加しているセッションのグループ名、セッションの参加者名、各参加者のプレゼンス（つまり、「オンライン」、「オフライン」、「発言権あり」、「発言権なし」などの携帯電話のステータス）などを表示させる。【００７５】  ＬＥＤ４８は、携帯電話のユーザに対して、視覚的に報知するための手段として使用される。例えば、着信時には、ＬＥＤ４８を点滅させるようにしてもよい。【００７６】  カメラ部４９は、ＣＣＤ（Ｃｈａｒｇｅ  Ｃｏｕｐｌｅｄ  Ｄｅｖｉｃｅ）等の撮像素子からなる撮像手段であり、主制御部４１からの制御に従って被写体を撮像するようになっている。【００７７】  計時部５１は、タイマであり、例えば後述するように発言権の制限時間等のカウントに利用される。【００７８】  さらに、携帯電話には、ＰｏＣ通信を含む各種アプリケーションの実行部が主制御部４１の内部に設けられている。これらの各種機能の実行部の詳細については後述する。【００７９】  記憶部５０は、携帯電話の各種アプリケーション機能を実行するために必要なプログラムやデータ等を格納するメモリやハードディスク等である。例えば、グループセッションのメンバリストや、録音部４６により録音された音声データ（発言権取得可能状態提示音声データ、端末識別音声データを含む）なども、記憶部５０に格納される。その他、携帯電話にて電子メールを送受信するためのアプリケーションプログラムなどもここに格納されている。これらのプログラムやデータは、主制御部４１によって必要に応じて読み出されるようになっている。【００８０】  なお、携帯電話では、無線通信を用いて、ＰｏＣ通信機能の他、例えば、電話、電子メール、インターネット等の各種アプリケーションを利用できる。よって、上述の各部、各機能に限定されず、他にも様々な機能を有していてもよい。例えば、現在位置検知するためのＧＰＳ（Ｇｌｏｂａｌ  Ｐｏｓｉｔｉｏｎｉｎｇ  Ｓｙｓｔｅｍ）、ＴＶ放送受像機能を実現するためのＴＶアンテナおよびチューナなどの各部を有した構成でもよい。【００８１】  図１は、本実施の形態に係るＰｏＣ通信システム１００の構成のうち、発言権報知機能に関する構成の詳細��示す機能ブロック図である。なお、以下では、本発明の特徴である発言権報知機能をＰｏＣ通信システムに適用した例について説明するが、それに限定されない。また、携帯電話４０において、発言権の状態に応じて音声データ（発言権取得可能状態提示音声データ、端末識別音声データ）を出力する場合について説明するが、音声データを画像データとともに提示してもよいし、画像データのみを提示することも可能である。【００８２】  電子会議管理装置としてのＰｏＣ通信システム１００は、相互に通信可能な複数の携帯電話（端末装置）４０…と、携帯電話４０に発言権を付与するＰｏＣサーバ（電子会議管理装置）１０とを備える。なお、ＰｏＣサーバ１０は、無線通信網との通信機能を備えた、ワークステーション等の汎用のコンピュータをベースに構成できる。【００８３】  図１に示すように、携帯電話４０は、発言権獲得／解放部６１、発言権情報取得部６２、発言権状態提示部６３を備えている。なお、発言権獲得／解放部６１、発言権情報取得部６２、発言権状態提示部６３は、主制御部４１によって実現される。【００８４】  発言権獲得／解放部６１は、ユーザが操作するＰＴＴボタン４３ａから信号に従って、発言権獲得要求あるいは発言権解放要求をＰｏＣサーバ１０へ送信する。【００８５】  発言権情報取得部６２は、ＰｏＣサーバ１０の発言権管理部１１からいずれの携帯電話４０に発言権が付与されたかを示す発言権情報を受信する。発言権情報とは、発言権の所在を示す情報であり、具体的には例えば発言権を有する参加者のＩＤや、発言権がどの参加者にも付与されていないことを示す情報等である。【００８６】  また、携帯電話４０は、発言権を獲得する際も、発言権獲得／解放部６１から送信した発言権獲得要求に対して、発言権の所在が自装置であることを示す情報を発言権情報として、発言権情報取得部６２が取得する。すなわち、自装置に発言権が割り当てられたことも、発言権情報によって通知を受ける。なお、自装置に発言権が割り当てられたことは、発言権情報とは別個の情報によって通知を受けるように構成することもできる。もちろん、発言権情報は、電子会議のアプリケーションのうち、発言権報知機能以外の機能によっても利用される。【００８７】  発言権状態提示部６３は、発言権の所在に応じて、音声を音声出力部４５から出力し、画像を表示部４７に表示する。発言権状態提示部６３は、音声や画像の提示を、（１）ＰｏＣサーバ１０から受信したコマンドに従い、ＰｏＣサーバ１０から受信したデータを用いて、（２）ＰｏＣサーバ１０から受信したコマンドに従い、自装置の記憶部５０に格納したデータを用いて、（３）自装置の判断に従い、自装置の記憶部５０に格納したデータを用いて、行うことができる。【００８８】  具体的には、発言権状態提示部６３は、発言権が付与された携帯電話４０に対応付けられた音声データ（端末識別音声データ）を記憶部５０より読み出して再生する機能を有する。また、発言権状態提示部６３は、自装置が発言権を開放してから所定時間、自装置からの発言権獲得要求がない場合、あるいは、ＰｏＣサーバ１０の発言権管理部１１から他の携帯電話４０に発言権が付与されたことの通知がない場合、発言権がいずれの携帯電話４０にも付与されていない旨を示す音声データ（発言権取得可能状態提示音声データ）を再生する機能を有する。また、発言権状態提示部６３は、他の携帯電話４０からの最後の通信を受信してから所定時間、自装置からの発言権獲得要求がない場合、あるいは、ＰｏＣサーバ１０の発言権管理部１１から他の携帯電話４０に発言権が付与されたことの通知がない場合、発言権がいずれの携帯電話４０にも付与されていない旨を示す音声の再生を開始する機能を有する。【００８９】  なお、発言権状態提示部６３は、後述するＰｏＣサーバ１０の発言権状態提示制御部１２のように、発言権の状態に応じた提示用データを提示させるための制御を行ってもよい。また反対に、ＰｏＣサーバ１０の発言権状態提示制御部１２が、携帯電話４０の発言権状態提示部６３のように、音声データを再生した音声信号を携帯電話４０に供給し、携帯電話４０の音声出力部４５が音声出力を行うように構成することもできる。【００９０】  また、記憶部５０には、電子会議の参加者（あるいは参加者が操作する携帯電話）に対応付けられた端末識別音声／画像データ、発言権が誰にも付与されていない時（待機時）に提示するための発言権取得可能状態提示音声／画像データ等が格納されている。これらデータはあらかじめ格納されていてもよいし、必要に応じてＰｏＣサーバ１０あるいは他の装置から取得してもよい。さらに、一度、記憶部５０に格納されたデータは、電子会議の後でオフラインの状態で参照可能であるようにしてもよいし、次回以降の電子会議で利用してもよい。【００９１】  また、ＰｏＣサーバ１０は、発言権管理部１１、発言権状態提示制御部１２、記憶部１３、計時部１４、発話検知部１５、音声認識部１６、提示用データ作成部１７を備えている。【００９２】  発言権管理部１１は、いずれかの携帯電話４０から発言権獲得要求を受信し、発言権を付与する。また、発言権が付与されている携帯電話４０から発言権解放要求を受信し、発言権を解除する。また、各携帯電話４０…に順に後述する発言優先権を付与する。なお、発言権管理部１１が付与する発言権・発言優先権には発言可能な期間である制限時間が設定されていてもよい。また、いずれの携帯電話４０からも発言権獲得要求を一定時間獲得しない場合にＰｏＣサーバ１０に発言権を付与することで発言権がどの携帯電話４０にも付与されていない旨を示す音声データ（発言権取得可能状態提示音声データ）の再生を行うようにしてもよい。この場合は、いずれかの携帯電話４０から発言権獲得要求があったとき、携帯電話４０からの発言権獲得要求を優先する仕組みとなっている。【００９３】  なお、携帯電話における発言権を取得可能な状態であることを示す音楽データの再生は、発言権がいずれの携帯電話にも付与されていない状態が一定時間経過してから行うことが望ましい。それは、発言権が変わるときには必ず空き状態が生じるため、発言権の変更時に直ちに音楽データを再生すると、数秒の音声データがぶつぶつ挿入されることになるが、発言権の変更時に一定時間経過後に音声データを再生することにより、このような状態を生じないようにできるからである。【００９４】  発言権状態提示制御部１２は、携帯電話４０において発言権状態提示部６３に発言権の状態に応じた提示用データを提示させるための制御を行う。【００９５】  具体的には、発言権状態提示制御部１２は、発言権がいずれの携帯電話４０にも付与されていないとき、その旨を示す音声データ（発言権取得可能状態提示音声データ）の再生を指示する再生コマンド（出力コマンド）を携帯電話４０へ送信する。また、発言権状態提示制御部１２は、いずれかの携帯電話４０から発言権獲得要求を受信した場合、それまでの音声データ（発言権取得可能状態提示音声データ）の再生の停止を指示するコマンド、あるいは、上記音声データ（発言権取得可能状態提示音声データ）の再生の音量を低下させることを指示するコマンドを他の携帯電話４０に対して送信する。【００９６】  なお、本実施の形態では、携帯電話４０が、ＰｏＣサーバ１０から再生コマンドとともに受信して格納した、あるいは、あらかじめ格納しておいた、記憶部５０の音声データを再生することによって、音声（発言権取得可能状態提示音声、端末識別音声）を出力する場合について説明する。ただし、これに限定されず、携帯電話４０が、ＰｏＣサーバ１０あるいは他の外部装置から上記データを再生した音声信号を受信し、そのまま出力することによって、上記音声の出力を行うように構成することもできる。【００９７】  また、発言権状態提示制御部１２は、発言権管理部１１が携帯電話４０に発言権を付与した場合、当該携帯電話４０に対応付けられた音声データ（端末識別音声データ）の再生を指示する再生コマンドを他の携帯電話４０に対して送信する。【００９８】  また、発言権状態提示制御部１２は、発話検知部１５が発話を検知した場合、それまでの音声データ（発言権取得可能状態提示音声データ、端末識別音声データ）の再生の停止を指示するコマンド、あるいは、上記音声データの再生の音量を低下させることを指示するコマンドを他の携帯電話４０に対して送信する。【００９９】  また、発言権状態提示制御部１２は、音声データ（発言権取得可能状態提示音声データ、端末識別音声データ）の再生を指示する再生コマンドを携帯電話４０へ送信する際、音声データを記憶部１３より読み出して携帯電話４０へ送信する。また、発言権状態提示制御部１２は、音声認識部１６が認識した内容に基づいて、携帯電話４０へ再生を指示する音声データを選択する。なお、音声データはＣＭ（コマーシャル）であってもよい。【０１００】  また、記憶部１３には、電子会議の参加者（あるいは参加者が操作する携帯電話）に対応付けられた端末識別音声／画像データ、発言権が誰にも付与されていない時（待機時）に提示するための発言権取得可能状態提示音声／画像データ、ＣＭ音声／画像データ等が格納されている。【０１０１】  計時部１４は、タイマであり、発言権や発言優先権の制限時間等のカウントに利用される。【０１０２】  発話検知部１５は、発言権が付与された携帯端末４０から受信した通話データから発話を検知する。発話検知部１５が発話を検知すると、発言権状態提示制御部１２は各携帯電話に音楽等の音声データの再生を停止させるコマンドを送信する。【０１０３】  音声認識部１６は、発言権が付与された携帯電話４０からの通話データから発言の内容を認識する。例えば、音声認識部１６は、携帯電話から受信した通話データに基づいて音声認識を行い、発言内容を特定して、それに合ったＣＭデータを選択する。【０１０４】  提示用データ作成部１７は、参加者の携帯電話で提示するための提示用データを作成する。例えば、参加者から提供された音楽データを、参加者が１回の発言権で発言できる時間（制限時間）に合わせて終了するように加工したり、制限時間に近づくと再生速度が速くなる（あるいは、遅くなる）ように加工することによって、提示用の音楽データを作成する。提示用データ作成部１７が作成した提示用データは、どの携帯電話に発言権が付与されている時に提示すべきかを示した情報に関連づけて記憶部１３に格納される。提示用データは、あらかじめ携帯電話に格納させるために会議に先立って携帯電話に送信されてもよいし、再生すべき時に再生コマンドと共に携帯電話に送信されてもよい。【０１０５】  以下、図４〜図１１を参照しながら、ＰｏＣ通信システム１００における発言権報知機能のシーケンスを具体的に説明する。なお、報知の際に出力する音声を音楽として説明するが、それに限定されない。【０１０６】  〔１〕発言権がどの携帯電話にも獲得されていない場合に、ＰｏＣサーバから音楽データおよび再生コマンドを各携帯電話へ送信する
図４は、上記ＰｏＣ通信システム１００の動作の一例を示すシーケンス図である。【０１０７】  図４に示すように、まず、携帯電話Ａにおいて、ＰＴＴボタン４３ａが押され、発言権獲得／解放部６１が発言権獲得要求をＰｏＣサーバ１０へ送信する（Ｓ１０１）。【０１０８】  これに対して、ＰｏＣサーバ１０では、発言権獲得要求を受信した発言権管理部１１が携帯電話Ａに対して発言権を付与することを決定し、発言権の所在が携帯電話Ａであることを示す発言権情報を携帯電話Ａへ送信する（Ｓ１０２）。【０１０９】  次に、携帯電話Ａでは、発言権情報取得部６２が受信した発言権情報から自装置に発言権が付与されたことを検知して、ユーザに発言権が付与されたことを報知して、発話をＰｏＣサーバ１０へ送信する。この発話はＰｏＣサーバ１０を介して他の携帯電話Ｂへ同報される（Ｓ１０３）。なお、発言権が付与されたことは、表示部４７、ＬＥＤ４８、音声出力部４５によりユーザに報知される。【０１１０】  次に、携帯電話Ａにおいて、ＰＴＴボタン４３ａが解放されると、発言権獲得／解放部６１が発言権解放要求をＰｏＣサーバ１０へ送信する（Ｓ１０４）。【０１１１】  これに対して、ＰｏＣサーバ１０では、発言権解放要求を受信した発言権管理部１１が携帯電話Ａに付与されていた発言権を解放することを決定し、発言権が携帯電話Ａから解放されたこと発言権情報を携帯電話Ａへ送信する（Ｓ１０５）。なお、このときの発言権情報の内容は、発言権がどの携帯電話にも付与されていないことを示すものであってもよい。【０１１２】  その後、ＰｏＣサーバ１０は、どの携帯電話からも発言権の要求がなかった時、発言権状態提示制御部１２が、すべての携帯電話に、発言権がどの携帯電話にも獲得されていないことを示す音楽データと、該音楽データの再生を指示する再生コマンド（提示制御命令）を送信する（Ｓ１０６、Ｓ１０７）。なお、この音楽データはあらかじめ記憶部１３に格納されている。そして、各携帯電話では、発言権状態提示部６３が、受信した音楽データを音声出力部４５から出力する。また、ＰｏＣサーバ１０は、どの携帯電話からも発言権の要求がないことを確認する際、計時部１４にて計時する所定時間だけ待つようにしてもよい。【０１１３】  その後、携帯電話Ｂにおいて、ＰＴＴボタン４３ａが押されたとする。このとき、携帯電話Ｂの発言権獲得／解放部６１が発言権獲得要求をＰｏＣサーバ１０へ送信する（Ｓ１０８）。これと同時に、携帯電話Ｂでは、発言権状態提示部６３が、発言権がどの携帯電話にも獲得されていないことを示す音楽データの再生を停止させる。【０１１４】  これに対して、ＰｏＣサーバ１０では、発言権状態提示制御部１２が、携帯電話Ｂ以外のすべての携帯電話に、発言権がどの携帯電話にも獲得されていないことを示す音楽データの再生を停止させることを指示する停止コマンド（提示制御命令）を送信する（Ｓ１０９）。なお、このとき、発言権管理部１１が、発言権が携帯電話Ｂに付与されたことを示す発言権情報を携帯電話Ｂ以外のすべての携帯電話に送信してもよい。【０１１５】  その後、ＰｏＣサーバ１０は、発言権獲得要求を受信した発言権管理部１１が携帯電話Ｂに対して発言権を付与することを決定し、発言権の所在が携帯電話Ｂであることを示す発言権情報を携帯電話Ｂへ送信する（Ｓ１１０）。【０１１６】  次に、携帯電話Ｂでは、発言権情報取得部６２が受信した発言権情報から自装置に発言権が付与されたことを検知して、ユーザに発言権が付与されたことを報知して、発話をＰｏＣサーバ１０へ送信する。この発話はＰｏＣサーバ１０を介して他の携帯電話Ｂへ同報される（Ｓ１１１）。【０１１７】  なお、上述のように、発言権がどの携帯電話にも獲得されていない場合に、ＰｏＣサーバ１０から音楽データとともに再生コマンド（提示制御命令）を各携帯電話へ送信してもよいが、再生コマンドの代わりに、発言権がいずれの携帯電話にも付与されていない状態であり、発言権を取得可能な状態であることを通知（状態通知、発言権情報）してもよい。この場合、各携帯電話では、上記状態通知を受信することによって、発言権取得可能状態であることを検知して、状態通知と同時に受信した音楽データ（発言権取得可能状態提示音声データ）を再生することができる。【０１１８】  また同様に、上述のように、発言権がいずれかの携帯電話に獲得された場合に、それまでの音楽データ（発言権取得可能状態提示音声データ）の再生の停止（あるいは音量の低下）を指示するコマンド（提示制御命令）をＰｏＣサーバ１０から各携帯電話へ送信してもよいが、コマンドの代わりに、発言権がいずれかの携帯電話に付与された状態であり、発言権を取得可能でない状態であることを通知（状態通知、発言権情報）してもよい。この場合、各携帯電話では、上記状態通知を受信することによって、発言権取得不可能状態であることを検知して、それまでの音楽データ（発言権取得可能状態提示音声データ）の再生を停止（あるいは音量の低下）することができる。【０１１９】  なお、発言権状態提示制御部１２が、再生／停止コマンドの代わりに、発言権の状態を送信する場合、発言権管理部１１による発言権情報の送信は省略してもよい。【０１２０】  〔２〕発言権がどの携帯電話にも獲得されていない場合に、ＰｏＣサーバから音楽データの再生コマンドのみを各携帯電話へ送信する
図５は、上記ＰｏＣ通信システム１００の動作の一例を示すシーケンス図である。【０１２１】  図５に示すように、まず、携帯電話Ａが発言権を獲得して、通話を行い、発言権を解放するまでのシーケンス（Ｓ１２１〜Ｓ１２５）は、〔１〕のＳ１０１〜Ｓ１０５と同じである。【０１２２】  次に、ＰｏＣサーバ１０は、どの携帯電話からも発言権の要求がなかった時、発言権状態提示制御部１２が、すべての携帯電話に、発言権がどの携帯電話にも獲得されていないことを示す音楽データの再生を指示する再生コマンド（提示制御命令）を送信する（Ｓ１２６、Ｓ１２７）。この音楽データはあらかじめ各携帯電話の記憶部５０に格納されている。そして、各携帯電話では、発言権状態提示部６３が、指示された音声データ（発言権取得可能状態提示音声データ）を記憶部５０から読み出して音声出力部４５から出力する。なお、ＰｏＣサーバ１０は、どの携帯電話からも発言権の要求がないことを確認する際、計時部１４にて計時する所定時間だけ待つようにしてもよい。【０１２３】  その後、携帯電話Ｂにおいて、ＰＴＴボタン４３ａが押されたとする。このとき、携帯電話Ｂの発言権獲得／解放部６１が発言権獲得要求をＰｏＣサーバ１０へ送信する（Ｓ１２８）。これと同時に、携帯電話Ｂでは、発言権状態提示部６３が、発言権がどの携帯電話にも獲得されていないことを示す音楽データの再生を停止させる。【０１２４】  これに対して、ＰｏＣサーバ１０では、発言権状態提示制御部１２が、携帯電話Ｂ以外のすべての携帯電話に、発言権がどの携帯電話にも獲得されていないことを示す音楽データの再生を停止させることを指示する停止コマンド（提示制御命令）を送信する。また、発言権管理部１１が、発言権が携帯電話Ｂに付与されたことを示す発言権情報を携帯電話Ｂ以外のすべての携帯電話に送信する（Ｓ１２９）。【０１２５】  その後、携帯電話Ｂが発言権を獲得して、通話を行うシーケンス（Ｓ１３０〜Ｓ１３１）は、〔１〕のＳ１１０〜Ｓ１１１と同じである。【０１２６】  なお、上述のように、発言権がどの携帯電話にも獲得されていない場合に、ＰｏＣサーバ１０から音楽データの再生コマンドを各携帯電話へ送信してもよいが、再生コマンド（提示制御命令）の代わりに、発言権がいずれの携帯電話にも付与されていない状態であり、発言権を取得可能な状態であることを通知（状態通知、発言権情報）してもよい。この場合、各携帯電話では、上記状態通知を受信することによって、発言権取得可能状態であることを検知して、あらかじめ各携帯電話の記憶部５０に格納されている音楽データ（発言権取得可能状態提示音声データ）を再生することができる。【０１２７】  また同様に、上述のように、発言権がいずれかの携帯電話に獲得された場合に、それまでの音楽データ（発言権取得可能状態提示音声データ）の再生の停止（あるいは音量の低下）を指示するコマンド（提示制御命令）をＰｏＣサーバ１０から各携帯電話へ送信してもよいが、コマンドの代わりに、発言権がいずれかの携帯電話に付与された状態であり、発言権を取得可能でない状態であることを通知（状態通知、発言権情報）してもよい。この場合、各携帯電話では、上記状態通知を受信することによって、���言権取得不可能状態であることを検知して、それまでの音楽データ（発言権取得可能状態提示音声データ）の再生を停止（あるいは音量の低下）することができる。【０１２８】  なお、発言権状態提示制御部１２が、再生／停止コマンドの代わりに、発言権の状態を送信する場合、発言権管理部１１による発言権情報の送信は省略してもよい。【０１２９】  〔３〕携帯電話は自身が発言権を開放後、自身を含むいずれの携帯電話にも発言権が付与されない場合、音楽データを再生する
図６は、上記ＰｏＣ通信システム１００を構成する携帯電話４０の動作の一例を示すフローチャートである。【０１３０】  図６に示すように、まず、携帯電話が発言権を獲得して、通話を行い、発言権を解放するまでのシーケンス（Ｓ１４１〜Ｓ１４５）は、〔１〕のＳ１０１〜Ｓ１０５と同じである。【０１３１】  次に、携帯電話は、発言権情報取得部６２がＰｏＣサーバ１０から他の携帯電話に発言権が付与されたことを示す発言権情報を受信すると（Ｓ１４６でＹＥＳ）、ＰＴＴ受信モードに移行して、発言権を獲得した付他の携帯電話からの通話を受信する（Ｓ１４７）。なお、携帯電話は、発言権情報の受信を、計時部５１にて計時する所定時間だけ待つようにしてもよい。【０１３２】  一方、発言権情報取得部６２がＰｏＣサーバ１０から他の携帯電話に発言権が付与されたことを示す発言権情報を受信しなかった場合（Ｓ１４６でＮＯ）、発言権状態提示部６３が、発言権がどの携帯電話にも獲得されていないことを示す音楽データを再生する（Ｓ１４８）。この音楽データはあらかじめ各携帯電話の記憶部５０に格納されている。その後、上記音楽データの再生中に、発言権情報取得部６２がＰｏＣサーバ１０から他の携帯電話に発言権が付与されたことを示す発言権情報を受信すると（Ｓ１４９でＹＥＳ）、発言権状態提示部６３が、上記音楽データの再生を停止し（Ｓ１５０）、ＰＴＴ受信モードに移行して、発言権を獲得した付他の携帯電話からの通話を受信する（Ｓ１４７）。【０１３３】  なお、上記のフローは、携帯電話が自身が発言権を開放後、自身を含むいずれの携帯電話にも発言権が付与されない場合のほか、他の携帯電話からの最後の通信を受信後、自身を含むいずれの携帯電話にも発言権が付与されない場合にも適用できる。【０１３４】  〔４〕いずれかの携帯電話に発言権が付与されている時、他の携帯電話では、発言権が付与されている携帯電話に応じた音楽データを再生する
図７は、上記ＰｏＣ通信システム１００の動作の一例を示すシーケンス図である。【０１３５】  図７に示すように、まず、会議招集者の携帯電話Ａが、会議呼びかけのメールを、ＰｏＣサーバ１０経由で参加予定者の携帯電話Ｂへ送信する（Ｓ１６１）。このメールには、携帯電話Ａに発言権が付与されている時に、他の携帯電話で再生する音楽データが添付されている。そして、会議呼びかけのメールを受信した携帯電話Ｂでは、添付の音楽データを携帯電話Ａの識別情報（あるいは、携帯電話Ａのユーザの識別情報）と対応付けて記憶部５０に格納する。【０１３６】  次に、会議に参加する者の携帯電話Ｂが、回答メールを、ＰｏＣサーバ１０経由で参加予定者の携帯電話へ送信する（Ｓ１６２）。このメールには、携帯電話Ｂに発言権が付与されている時に、他の携帯電話で再生する音楽データが添付されている。そして、携帯電話Ｂから音楽データを受信した他の携帯電話では、音楽データを携帯電話Ｂの識別情報（あるいは、携帯電話Ｂのユーザの識別情報）と対応付けて記憶部５０に格納する。【０１３７】  会議が始まると、携帯電話Ａにおいて、ＰＴＴボタン４３ａが押され、発言権獲得／解放部６１が発言権獲得要求をＰｏＣサーバ１０へ送信する（Ｓ１６３）。【０１３８】  これに対して、ＰｏＣサーバ１０では、発言権獲得要求を受信した発言権管理部１１が携帯電話Ａに対して発言権を付与することを決定し、発言権の所在が携帯電話Ａであることを示す発言権情報を携帯電話Ａへ送信する（Ｓ１６４）。このとき、ＰｏＣサーバ１０は、発言権状態提示制御部１２が、他の携帯電話Ｂに対して、携帯電話Ａに発言権が付与されている際に再生すべき音楽データを再生することを指示するコマンド（音楽再生コマンド）を送信する（Ｓ１６５）。一方、携帯電話Ｂでは、上記音楽再生コマンドを受信した発言権状態提示部６３が、携帯電話Ａに対応付けられた音楽データを記憶部５０から読み出して再生する。なお、上記音楽再生コマンドとともに、発言権が携帯電話Ａに付与されたことを示す発言権情報が、ＰｏＣサーバ１０から携帯電話Ｂへ送信されてもよい。【０１３９】  つづいて、ＰｏＣサーバ１０は、携帯電話Ａに発言権が付与されている状態で、携帯電話Ａから発話のデータを検知すると、通話データを送信する前に、他の携帯電話Ｂに音楽データの再生を停止させる。具体的には、ＰｏＣサーバ１０において、発話検知部１５が携帯電話Ａより受信した通話データからユーザの発話を検知すると（Ｓ１６６）、発言権状態提示制御部１２が他の携帯電話Ｂに携帯電話Ａに対応付けられた音楽データの再生を停止させることをコマンド（音楽停止コマンド）を送信する（Ｓ１６７）。そして、この音楽停止コマンドを受信した携帯電話Ｂは、発言権状態提示部６３が音楽データの再生を停止する。その後、ＰｏＣサーバ１０から携帯電話Ｂへ通話データが配信される（Ｓ１６８）。【０１４０】  その後、携帯電話Ａが発言権を解放するシーケンス（Ｓ１６９〜Ｓ１７０）は、〔１〕のＳ１０４〜Ｓ１０５と同じである。【０１４１】  なお、ＰｏＣサーバ１０の発話検知部１５が発話を検知した際、音楽停止コマンドを送信する代わりに、音量を小さくするコマンドを送信してもよい。こ���場合、発言中にも音楽データがＢＧＭとして再生される。また、各携帯端末に対応する音楽データを、それぞれの携帯端末で保持するのではなく、ＰｏＣサーバ１０が一括して記憶部１３に格納しておき、音楽再生コマンドを送信する時に発言者に応じた音楽データも送信するようにしてもよい。【０１４２】  また、上記のステップＳ１６５では、ＰｏＣサーバ１０から音楽再生コマンドを送信し、携帯電話Ｂにおいて、音楽再生コマンドで指示されている音楽データを再生した。しかし、ＰｏＣサーバ１０から音楽再生コマンドを送信せず、携帯電話Ａに対して発言権が付与されたことを示す発言権情報のみを携帯電話Ｂへ送信するようにしてもよい。この場合、携帯電話Ｂでは、発言権情報取得部（発言権情報取得手段）６２が受信した発言権情報から、発言権状態提示部（発言権状態提示手段）６３が、発言権が付与されているのが携帯電話Ａであることを特定して、携帯電話Ａに対応付けられた音楽データを記憶部５０から読み出して再生する。【０１４３】  なお、上述のように、いずれかの携帯電話に発言権が付与されている時、該携帯電話に応じた音楽データを再生することを指示する再生コマンド（提示制御命令）をＰｏＣサーバ１０から各携帯電話へ送信してもよいが、再生コマンドの代わりに、発言権が付与された携帯電話の端末識別子（装置ＩＤやユーザ名、発言権情報）を送信してもよい。この場合、各携帯電話では、上記端末識別子を受信することによって、発言権が付与された携帯電話を検知して、あらかじめ各携帯電話の記憶部５０に格納されている音楽データ（端末識別音声データ）を再生することができる。なお、発言権状態提示制御部１２が、再生コマンドの代わりに、発言権が付与された携帯電話の端末識別子を送信する場合、発言権管理部１１による発言権情報の送信は省略してもよい。【０１４４】  〔５〕発言権に制限時間を設定しておき、制限時間になると自動的に発言権を次の参加者に付与する
図８は、上記ＰｏＣ通信システム１００の動作の一例を示すシーケンス図である。【０１４５】  図８に示すように、まず、会議招集者の携帯電話Ａが、会議呼びかけのメールをＰｏＣサーバ１０へ送信する（Ｓ１８１）。このメールには、携帯電話Ａに発言権が付与されている時に、他の携帯電話で再生する音楽データが添付されている。【０１４６】  次に、ＰｏＣサーバ１０では、携帯電話Ａから受信した音楽データを、提示用データ作成部１７が、参加者が１回の発言権で発言できる時間（制限時間）に合わせて終了するように、かつ／または、制限時間に近づくと再生速度が速くなるように加工する。そして、発言権状態提示制御部１２が、携帯電話Ａから受信した会議呼びかけのメールに上記加工後の音楽データを添付して携帯電話Ｂに送信する（Ｓ１８２）。そして、会議呼びかけのメールを受信した携帯電話Ｂでは、添付の音楽データを携帯電話Ａの識別情報（あるいは、携帯電話Ａのユーザの識別情報）と対応付けて記憶部５０に格納する。【０１４７】  次に、会議に参加する者の携帯電話Ｂが、回答メールをＰｏＣサーバ１０へ送信する（Ｓ１８３）。このメールには、携帯電話Ｂに発言権が付与されている時に、他の携帯電話で再生する音楽データが添付されている。【０１４８】  次に、ＰｏＣサーバ１０では、携帯電話Ａから受信した音楽データと同様に、提示用データ作成部１７が携帯電話Ｂから受信した音楽データを加工し、発言権状態提示制御部１２が加工後の音楽データを携帯電話Ｂから受信した回答メールに添付して、他の携帯電話へ送信する（Ｓ１８４）。そして、回答メールを受信した携帯電話では、添付の音楽データを携帯電話Ｂの識別情報（あるいは、携帯電話Ｂのユーザの識別情報）と対応付けて記憶部５０に格納する。【０１４９】  会議が始まると、携帯電話Ａにおいて、ＰＴＴボタン４３ａが押され、発言権獲得／解放部６１が発言権獲得要求をＰｏＣサーバ１０へ送信する（Ｓ１８５）。【０１５０】  これに対して、ＰｏＣサーバ１０では、発言権獲得要求を受信した発言権管理部１１が携帯電話Ａに対して発言権を付与することを決定し、発言権の所在が携帯電話Ａであることを示す発言権情報を携帯電話Ａへ送信する（Ｓ１８６）。なお、携帯電話Ａ以外の携帯電話Ｂに対しても、発言権が携帯電話Ａに付与されたことを示す発言権情報を、ＰｏＣサーバ１０から携帯電話Ｂへ送信してもよい。【０１５１】  このとき、ＰｏＣサーバ１０では、発言権状態提示制御部１２が、携帯電話Ａを含むすべての携帯電話に対して、携帯電話Ａに発言権が付与されている際に再生すべき音楽データを再生することを指示するコマンド（音楽再生コマンド）を送信する（Ｓ１８６、Ｓ１８７）。一方、携帯電話Ａを含むすべての携帯電話では、上記音楽再生コマンドを受信した発言権状態提示部６３が、携帯電話Ａに対応付けられた音楽データを記憶部５０から読み出して再生する。【０１５２】  次に、ＰｏＣサーバ１０は、計時部１４にて携帯電話Ａに発言権を付与してからの時間を計測し、携帯電話Ａに付与された発言権の制限時間になると、発言権管理部１１が、携帯電話Ａに付与されていた発言権を解除するとともに、次の発言者の携帯電話Ｂに対して発言権を付与する��とを決定し、発言権の所在が携帯電話Ｂであることを示す発言権情報を携帯電話Ｂへ送信する（Ｓ１８９）。なお、他の携帯電話に対しても、発言権が携帯電話Ｂに付与されたことを示す発言権情報を、ＰｏＣサーバ１０から送信してもよい。【０１５３】  このとき、ＰｏＣサーバ１０では、発言権状態提示制御部１２が、携帯電話Ｂを含むすべての携帯電話に対して、携帯電話Ｂに発言権が付与されている際に再生すべき音楽データを再生することを指示するコマンド（音楽再生コマンド）を送信する（Ｓ１８９、Ｓ１９０）。一方、携帯電話Ｂを含むすべての携帯電話では、上記音楽再生コマンドを受信した発言権状態提示部６３が、携帯電話Ｂに対応付けられた音楽データを記憶部５０から読み出して再生する。【０１５４】  上記シーケンスでは、ＰｏＣサーバ１０において、参加者が１回の発言権で発言できる時間（制限時間）があらかじめ設定されている。ＰｏＣサーバ１０は設定された制限時間に従い、各参加者から提供された音声データ（端末識別音声データ）から制限時間に終了するように音楽データを加工する。例えば、制限時間が１分と設定されていたら、１分で終了する音楽データに加工する。【０１５５】  さらに、制限時間に終了する音楽データに加工する際、制限時間に近づくと再生速度が速くなるようにしてもよい。例えば、制限時間の１０秒位前から少しずつ再生速度を上げる。これにより、音楽の速度が速くなったら、自分の時間があと少しだということが分かりやすくなる。【０１５６】  また、上記シーケンスの場合、ＰｏＣサーバ１０で設定された制限時間（タイムアウト時間）内に終了する音楽データを、参加者から登録された音楽データを基に作成し、各携帯電話に配布している。そのため、制限時間になると音楽データの再生が自動的に停止するので、携帯電話へ音楽停止コマンドを送信していない。もちろん、制限時間になった時に停止コマンドを携帯電話へ送信して、音楽データの再生を停止させることも可能である。【０１５７】  なお、上記シーケンスでは、発言者が自身の発言中に再生される音楽を自分で提供する場合であったため、ＰｏＣサーバ１０が音楽データの加工を行った。しかし、ＰｏＣサーバ１０にあらかじめ用意した音楽データを共通に使用する場合、参加者が制限時間に合わせた音楽データを提供する場合、速度変更を行わない場合などには、ＰｏＣサーバ１０における音楽データ加工の処理は省略できる。【０１５８】  また、各携帯端末に対応する音楽データを、それぞれの携帯端末で保持するのではなく、ＰｏＣサーバ１０が一括して記憶部１３に格納しておき、音楽再生コマンドを送信する時に発言者に応じた音楽データも送信するようにしてもよい。【０１５９】  また、ＰｏＣサーバ１０の発言権管理部１１が発言権を付与する携帯電話を決定する方法は会議の目的等に応じて適宜選択可能である。例えば、発言権を与える順番をあらかじめ設定しておいてもよいし、発言権の付与時に未発言者から選択してもよい。【０１６０】  なお、上記とは別に、音楽データ再生ではなく、制限時間までの残り時間を音声で報知させるようにしてもよい。【０１６１】  〔６〕発言権の付与後、発言するまでの時間を設定しておき、その時間までに発��がないと自動的に発言権を次の参加者に付与する
図９は、上記ＰｏＣ通信システム１００の動作の一例を示すシーケンス図である。【０１６２】  図９に示すように、まず、携帯電話Ａにおいて、ＰＴＴボタン４３ａが押され、発言権獲得／解放部６１が発言権獲得要求をＰｏＣサーバ１０へ送信する（Ｓ２０１）。【０１６３】  これに対して、ＰｏＣサーバ１０では、発言権獲得要求を受信した発言権管理部１１が携帯電話Ａに対して発言権を付与することを決定し、発言権の所在が携帯電話Ａであることを示す発言権情報を携帯電話Ａへ送信する（Ｓ２０２）。なお、携帯電話Ａ以外の携帯電話Ｂに対しても、発言権が携帯電話Ａに付与されたことを示す発言権情報を、ＰｏＣサーバ１０から携帯電話Ｂへ送信してもよい。【０１６４】  このとき、ＰｏＣサーバ１０では、発言権状態提示制御部１２が、携帯電話Ａを含むすべての携帯電話に対して、携帯電話Ａに発言権が付与されている際に再生すべき音楽データを再生することを指示するコマンド（音楽再生コマンド）を送信する（Ｓ２０２、Ｓ２０３）。一方、携帯電話Ａを含むすべての携帯電話では、上記音楽再生コマンドを受信した発言権状態提示部６３が、携帯電話Ａに対応付けられた音楽データを記憶部５０から読み出して再生する。【０１６５】  次に、ＰｏＣサーバ１０は、発言権情報を携帯電話Ａへ送信した時に、計時部１４にて計時を開始する。そして、発話検知部１５にて、所定の時間（発話待ち時間）内に携帯電話Ａからの通話データに発話が検知された場合（Ｓ２０４）、発言権状態提示制御部１２が、携帯電話Ａを含むすべての携帯電話に対して、音楽データの再生を停止させること指示するコマンド（音楽停止コマンド）を送信する（Ｓ２０５、Ｓ２０６）。その後、携帯電話Ａが通話を行い、発言権を解放するまでのシーケンス（Ｓ２０７〜Ｓ２０９）は、〔１〕のＳ１０３〜Ｓ１０５と同じである。【０１６６】  一方、発話検知部１５にて、所定の時間内に携帯電話Ａからの通話データに発話が検知されなかった場合には、発言権状態提示制御部１２は、次に発言権を付与する携帯電話を決定する。【０１６７】  なお、上記とは別に、音楽データ再生ではなく、制限時間までの残り時間を音声で報知させるようにしてもよい。【０１６８】  〔７〕発言優先権を所定時間ずつ、付与する携帯電話を順番に変更しながらすべての携帯電話に与え、発言優先権を有する期間に発言権獲得要求を送信した携帯電話に発言権を付与する
図１０は、上記ＰｏＣ通信システム１００の動作の一例を示すシーケンス図である。【０１６９】  図１０に示すように、まず、ＰｏＣサーバ１０では、発言権管理部１１が、発言優先権を与える携帯電話として携帯電話Ａを選択し、発言優先権の所在が携帯電話Ａであることを示す発言権情報を携帯電話Ａへ送信する（Ｓ２２１）。このとき、ＰｏＣサーバ１０では、発言権状態提示制御部１２が、携帯電話Ａを含むすべての携帯電話に対して、携帯電話Ａに発言優先権が付与されている際に再生すべき音楽データを再生することを指示するコマンド（音楽再生コマンド）を送信する（Ｓ２２２、Ｓ２２３）。一方、携帯電話Ａを含むすべての携帯電話では、上記音楽再生コマンドを受信した発言権状態提示部６３が、携帯電話Ａに対応付けられた音楽データを記憶部５０から読み出して再生する。なお、上記音楽再生コマンドとともに、発言優先権が携帯電話Ａに付与されたことを示す発言権情報を、ＰｏＣサーバ１０から携帯電話Ａ以外の携帯電話へ送信してもよい。【０１７０】  次に、ＰｏＣサーバ１０は、発言権情報を携帯電話Ａへ送信した時に、計時部１４にて計時を開始する。そして、発言権管理部１１が所定の時間（発言優先時間）内に携帯電話Ａから発言権獲得要求を受信しなければ、上記発言優先時間の経過後に、発言権状態提示制御部１２が、携帯電話Ａを含むすべての携帯電話に対して、音楽データの再生を停止させること指示するコマンド（音楽停止コマンド）を送信する（Ｓ２２４、Ｓ２２５）。【０１７１】  つづいて、ＰｏＣサーバ１０では、発言権管理部１１が、次に発言優先権を与える携帯電話として携帯電話Ｂを選択し、発言優先権の所在が携帯電話Ｂであることを示す発言権情報を携帯電話Ｂへ送信する（Ｓ２２６）。このとき、ＰｏＣサーバ１０では、発言権状態提示制御部１２が、携帯電話Ｂを含むすべての携帯電話に対して、携帯電話Ｂに発言優先権が付与されている際に再生すべき音楽データを再生することを指示するコマンド（音楽再生コマンド）を送信する（Ｓ２２７、Ｓ２２８）。一方、携帯電話Ｂを含むすべての携帯電話では、上記音楽再生コマンドを受信した発言権状態提示部６３が、携帯電話Ｂに対応付けられた音楽データを記憶部５０から読み出して再生する。なお、上記音楽再生コマンドとともに、発言優先権が携帯電話Ｂに付与されたことを示す発言権情報を、ＰｏＣサーバ１０から携帯電話Ｂ以外の携帯電話へ送信してもよい。【０１７２】  次に、ＰｏＣサーバ１０は、発言権情報を携帯電話Ｂへ送信した時に、計時部１４にて計時を開始する。ここで、発言権情報を携帯電話Ｂは、発言優先権が付与されたことを示す発言権情報を受信してから、所定の時間（発言優先時間）内に発言権獲得要求を送信すれば、発言権を獲得できる。【０１７３】  そして、携帯電話Ｂにおいて、ＰＴＴボタン４３ａが押され、発言権獲得／解放部６１が発言権獲得要求をＰｏＣサーバ１０へ送信したとする（Ｓ２２９）。このとき、ＰｏＣサーバ１０では、発言権状態提示制御部１２が、携帯電話Ｂを含むすべての携帯電話に対して、音楽データの再生を停止させること指示するコマンド（音楽停止コマンド）を送信する（Ｓ２３０、Ｓ２３１）。また、ＰｏＣサーバ１��では、発言権獲得要求を受信した発言権管理部１１が携帯電話Ｂに対して発言権を付与することを決定し、発言権の所在が携帯電話Ｂであることを示す発言権情報を携帯電話Ｂへ送信する（Ｓ２３２）。なお、携帯電話Ｂ以外の携帯電話に対しても、発言権が携帯電話Ｂに付与されたことを示す発言権情報を、ＰｏＣサーバ１０から送信してもよい。これにより、携帯電話Ｂは他の携帯電話と通話することができる（Ｓ２３２）。【０１７４】  〔８〕直前の発言からＰｏＣサーバが会話内容を判断し、発言権がどの携帯電話にも獲得されていない場合に、ＰｏＣサーバから発言内容に応じたＣＭデータおよび再生コマンドを各携帯電話へ送信する
図１１は、上記ＰｏＣ通信システム１００の動作の一例を示すシーケンス図である。【０１７５】  図１１に示すように、まず、携帯電話Ａが発言権を獲得して、通話を行い、発言権を解放するまでのシーケンス（Ｓ２４１〜Ｓ２４５）は、〔１〕のＳ１０１〜Ｓ１０５と同じである。【０１７６】  ただし、本シーケンスでは、携帯電話Ａが発言している時、ＰｏＣサーバ１０において、音声認識部１６が、携帯電話Ａから受信した通話データに基づいて音声認識を行い、発言内容を特定して、それに合ったＣＭデータを選択する。【０１７７】  そして、携帯電話Ａが発言権を解放した後、ＰｏＣサーバ１０では、どの携帯電話からも発言権の要求がなかった時、発言権状態提示制御部１２が、すべての携帯電話に、上記選択され、記憶部１３より読み出されたＣＭデータと、該ＣＭデータの再生を指示する再生コマンド（提示制御命令）を送信する（Ｓ２４６、Ｓ２４７）。なお、このＣＭデータはあらかじめ記憶部１３に格納されているが、スポンサーサイト等からストリーミング配信されるような仕組みを用いてもよい。そして、各携帯電話では、発言権状態提示部６３が、受信したＣＭデータを音声出力部４５から出力する。また、ＰｏＣサーバ１０は、携帯電話からの発言権の受信を、計時部１４にて計時する所定時間だけ待つようにしてもよい。【０１７８】  その後、携帯電話Ｂにおいて、ＰＴＴボタン４３ａが押されたとする。このとき、携帯電話Ｂの発言権獲得／解放部６１が発言権獲得要求をＰｏＣサーバ１０へ送信する（Ｓ２４８）。これと同時に、携帯電話Ｂでは、発言権状態提示部６３が、ＣＭデータの再生を停止させる。【０１７９】  これに対して、ＰｏＣサーバ１０では、発言権状態提示制御部１２が、携帯電話Ｂ以外のすべての携帯電話に、ＣＭデータの再生を停止させることを指示する停止コマンド（提示制御命令）を送信する（Ｓ１０９）。なお、このとき、発言権管理部１１が、発言権が携帯電話Ｂに付与されたことを示す発言権情報を携帯電話Ｂ以外のすべての携帯電話に送信してもよい。【０１８０】  その後、ＰｏＣサーバ１０は、発言権獲得要求を受信した発言権管理部１１が携帯電話Ｂに対して発言権を付与することを決定し、発言権の所在が携帯電話Ｂであることを示す発言権情報を携帯電話Ｂへ送信する（Ｓ２５０）。これにより、携帯電話Ｂは他の携帯電話と通話することができる（Ｓ２５１）。【０１８１】  上記シーケンスでは、ＣＭデータをＰｏＣサーバ１０から各携帯電話へ再生コマンドとともに送信したが、ＣＭデータを各携帯電話に格納しておき、ＰｏＣサーバ１０から各携帯電話へは再生コマンドのみを送信するように構成することもできる。【０１８２】  また、参加者の嗜好情報を会議呼びかけのメールに対する回答メールで収集し、該収集した嗜好情報に基づいて、ＣＭを選択してもよい。【０１８３】  また、ＰｏＣサーバ１０が会話内容を判断し、発言内容に応じたＣＭデータおよび再生コマンドを各携帯電話へ送信する機能を利用することにより、次のようなＣＭ配信が可能となる。【０１８４】  まず、携帯電話において発言内容から嗜好情報を抽出し、その抽出された嗜好情報を携帯電話からＰｏＣサーバ１０に送信する。そして、電子会議���際、ＰｏＣサーバ１０は、携帯電話から受信した嗜好情報に基づいて、発言内容に関連する適切なＣＭデータを送信する、あるいは、送信するＣＭデータを簡略なものとし、詳細なＣＭのページのＵＲＬ（Ｕｎｉｆｏｒｍ  Ｒｅｓｏｕｒｃｅ  Ｌｏｃａｔｏｒ）とともに携帯電話へ送信する。これにより、参加者が会議終了後に詳細なＣＭを参照することが可能となる。【０１８５】  ここで、携帯電話では、ＣＭデータの１回目の再生時には再生を中断しないように発言権の受付を制限し、２回目以降の再生時には発言権を随時受付けて、中断も許容してもよい。こうすることで、ＣＭデータを最低１回はユーザに提示することができる。また、２回目以降の再生時には中断されずに再生された回数をカウントして、広告料などに反映できるようにしてもよい。【０１８６】  なお、本実施の形態のＰｏＣ通信システム１００では、音楽を会議を呼びかけた人が設定してもよい。また、音楽を参加者のリクエストによって設定してもよいし、参加者の多数決で決定してもよい。また、音楽は一旦停止した箇所から続けて再生してもよい。また、携帯電話のプレゼンス状態に応じて音楽再生有無を決定（スピーカフォン状態であれば画面を見ているから音楽を流さない、等）してもよい。記憶部１３、または／および記憶部５０に格納される音楽データはデータ配信サービス等から事前にダウンロードしたものが使用されていもよい。もしくは、ストリーミングデータを使用する場合には、各ユーザが指定したデータ配信用サービスサイトのアドレスを記憶部５０に記憶しておき、音楽再生コマンドや状態通知をトリガに各携帯電話が記憶しておいたデータ配信サイトにアクセスし、データをストリーミング再生するようにしても良い。なお、音声データをダウンロードして利用する場合、参加者の通信状態やダウンロードするコンテンツの料金等を考慮して一人の参加者から音声データを配布するような仕組みとしてもよい。さらに、ＣＭは会議を呼びかけた人の属性、グループの属性、あるいは通信中の話題等に合わせて再生するようにしてもよい。さらに、再生される回数によってＣＭの内容を変更する、または通信料に変化を持たせる、などとしてもよい。【０１８７】  また、音声データはインターネットラジオのようなボイスデータであってもよい。ボイスデータである場合には、参加者による発言と誤解されないために、ボイスデータである旨を表す報知（音、表示、振動等）を行うことが望ましい。なお、端末識別音声データは各発言者（または発言者が操作する端末）に対応した音楽であることは上述したが、発言権取得可能状態提示音声データも各発言者（または発言者が操作する端末）に対応した音声データとすることも可能である。【０１８８】  また、ＰｏＣサーバ１０において、携帯電話から受信した通話データに基づいて音声認識を行い、発言内容を特定して、それに応じた制御を行う場合、電子会議の参加者からあらかじめ、ＰｏＣサーバ１０において発言内容を認識することに対する合意を得るようにしてもよい。例えば、電子会議の参加者全員が合意した場合にのみ発言内容に応じた制御を行うようにしてもよいし、合意した参加者の発言のみを認識して、内容に応じた制御を行うようにしてもよ���。【０１８９】  また、通話データから発言の内容を認識する音声認識は、上述のようにＰｏＣサーバ１０において行ってもよいが、各携帯電話において行ってもよい。そして、このように、各携帯電話において、通話データに基づいて音声認識し、発言内容を特定して、それに応じた制御を場合、携帯電話毎に異なる制御を行うことが可能となる。【０１９０】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１９１】  なお、本発明に係る電子会議システムは、相互に通信可能な複数の端末装置と、該端末装置に発言権を付与する電子会議管理装置とを備える電子会議システムであって、上記端末装置、上記電子会議管理装置のいずれかが、発言権がいずれの端末装置にも付与されていない状態を検知したとき、上記端末装置、上記電子会議管理装置のいずれかが、上記状態を示す発言権取得可能状態提示音声を上記端末装置にて出力する発言権状態提示制御手段を備えることを特徴としている。【０１９２】  また、本発明に係る電子会議システムは、相互に通信可能な複数の端末装置と、該端末装置に発言権を付与する電子会議管理装置とを備え、上記端末装置、上記電子会議管理装置のいずれかが、発言権がいずれの端末装置にも付与されていない状態を検知したとき、上記端末装置、上記電子会議管理装置のいずれかが、上記状態を示す発言権取得可能状態提示音声を上記端末装置にて出力する発言権状態提示制御手段を備えることを特徴としている。【０１９３】  上記の構成により、電子会議の際、端末装置、電子会議管理装置のいずれかが、発言権がいずれの端末装置にも付与されていない状態を検知したとき、端末装置、電子会議管理装置のいずれかが、発言権がいずれの端末装置にも付与されていない状態を示す発言権取得可能状態提示音声を端末装置にて出力する。よって、参加者は発言権の獲得を要求できる期間に、そのことを音声で確認できる。なお、端末装置が出力する音声の発言権取得可能状態提示音声データは、端末装置にあらかじめ格納されていてもよいし、外部からストリーミングデータとして取得してもよい。【０１９４】  また、本発明に係る電子会議システムは、相互に通信可能な複数の端末装置と、該端末装置に発言権を付与する電子会議管理装置とを備える電子会議システムであって、上記電子会議管理装置は、発言権がいずれの端末装置にも付与されていない状態であるとき、上記状態を示す発言権取得可能状態提示音声の出力を指示する出力コマンドを端末装置へ送信する発言権状態提示制御手段を備えることを特徴としている。【０１９５】  また、本発明に係る電子会議管理装置は、相互に通信可能な複数の端末装置のいずれかに発言権を付与する電子会議管理装置であって、発言権がいずれの端末装置にも付与されていない状態であるとき、上記状態を示す発言権取得可能状態提示音声の出力を指示する出力コマンドを端末装置へ送信する発言権状態提示制御手段を備えることを特徴としている。【０１９６】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、発言権がいずれの端末装置にも付与されていない状態であるとき、上記状態であることを示す発言権取得可能状態提示音声の出力を指示する出力コマンドを端末装置へ送信することを特徴としている。【０１９７】  上記の構成により、電子会議の際、上記電子会議管理装置は、発言権がいずれの端末装置にも付与されていないとき、その旨を示す発言権取得可能状態提示音声の出力を指示する出力コマンドを端末装置へ送信する。よって、参加者の端末装置では、発言権がいずれの端末装置にも付与されていないときに、その旨を示す、すなわち、発言権が取得可能であることを示す発言権取得可能状態提示音声を出力することができる。したがって、参加者は発言権の獲得を要求できる期間に、そのことを音声で確認できる。【０１９８】  また、本発明に係る電子会議システムは、相互に通信可能な複数の端末装置と、該端末装置に発言権を付与する電子会議管理装置とを備える電子会議システムであって、上記電子会議管理装置は、発言権がいずれの端末装置にも付与されていない状態であるとき、上記状態を端末装置へ通知することにより、該端末装置において上記状態を示す発言権取得可能状態提示音声を出力させる発言権状態提示制御手段を備えることを特徴としている。【０１９９】  また、本発明に係る電子会議管理装置は、相互に通信可能な複数の端末装置のいずれかに発言権を付与する電子会議管理装置であって、発言権がいずれの端末装置にも付与されていない状態であるとき、上記状態を端末装置へ通知することにより、該端末装置において、上記状態を示す発言権取得可能状態提示音声を出力させる発言権状態提示制御手段を備えることを特徴としている。【０２００】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、発言権がいずれの端末装置にも付与されていない状態であるとき、上記状態を端末装置へ通知することにより、端末装置において、上記状態であることを示す発言権取得可能状態提示音声を出力させることを特徴としている。【０２０１】  上記の構成により、電子会議の際、上記電子会議管理装置は、発言権がいずれの端末装置にも付与されていないとき、その旨を端末装置へ通知する。よって、参加者の端末装置では、発言権がいずれの端末装置にも付与されていないことの通知を受信したとき、その旨を示す、すなわち、発言権が取得可能であることを示す発言権取得可能状態提示音声を出力することができる。したがって、参加者は発言権の獲得を要求できる期間に、そのことを音声で確認できる。【０２０２】  さらに、本発明に係る電子会議システムは、上記発言権状態提示制御手段は、上記発言権取得可能状態提示音声を、上記出力コマンドとともに端末装置へ送信することを特徴としている。【０２０３】  上記の構成により、さらに、電子会議の際、上記電子会議管理装置は、発言権���得可能状態提示音声を、上記出力コマンドとともに端末装置へ送信することができる。よって、発言権取得可能状態提示音声データを、端末装置にあらかじめ記憶しておく必要がない。【０２０４】  さらに、本発明に係る電子会議システムは、上記端末装置は、上記発言権取得可能状態提示音声データを記憶部から読み出して再生する発言権状態提示手段を備えることを特徴としている。【０２０５】  上記の構成により、さらに、電子会議の際、上記端末装置は、上記発言権取得可能状態提示音声データを記憶部から読み出して再生することができる。よって、発言権取得可能状態提示音声データを、端末装置にあらかじめ記憶しておくことができるので、出力の度に、電子会議管理装置等の外部から取得する必要がない。【０２０６】  さらに、本発明に係る電子会議システムは、上記端末装置における発言権取得可能状態提示音声の出力は、発言権がいずれの端末装置にも付与されていない状態が一定時間経過してから行われることを特徴としている。【０２０７】  上記の構成により、さらに、端末装置における発言権取得可能状態提示音声の出力を、発言権がいずれの端末装置にも付与されていない状態が一定時間経過してから行うことができる。これにより、発言権が変わるときには必ず空き状態が生じるが、一定時間経過後に音声を出力するため、数秒の音声がぶつぶつ挿入されることを防止することができる。【０２０８】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴としている。【０２０９】  また、本発明に係る電子会議管理装置は、相互に通信可能な複数の端末装置のいずれかに発言権を付与する電子会議管理装置であって、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信する発言権状態提示制御手段を備えることを特徴としている。【０２１０】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、いずれかの端末装置から発言権獲得要求を受信した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信す��ことを特徴としている。【０２１１】  上記の構成により、電子会議の際、上記電子会議管理装置は、いずれかの端末装置から発言権獲得要求を受信した場合、発言権がいずれの端末装置にも付与されていない状態であることを示す発言権取得可能状態提示音声の出力の停止を指示するコマンド、あるいは、発言権取得可能状態提示音声の出力の音量を低下させることを指示するコマンドを他の端末装置に対して送信する。よって、他の端末装置では、発言権取得可能状態提示音声の出力が停止したこと、あるいは、発言権取得可能状態提示音声の出力の音量が低下したことによって、誰かに発言権が付与されたことが確認できるとともに、音声に妨げられずに発言を聞くことができる。【０２１２】  なお、発言権取得可能状態提示音声の出力の音量を低下させた場合には、発言権取得可能状態提示音声はＢＧＭ的に出力されることになる。また、電子会議管理装置からのコマンドに従って停止あるいは音量が低下させられる、端末装置における発言権取得可能状態提示音声の出力は、後述するように電子会議管理装置からの出力コマンドに従って開始されたものであってもよいが、それ以外のトリガ、例えば、端末装置のユーザの指示によって開始されたものであってもよい。【０２１３】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置が発言権を獲得した場合、その旨を上記端末装置に通知し、上記端末装置は、上記電子会議管理装置から、いずれかの端末装置が発言権を獲得したことを示す上記通知を受信すると、発言権がいずれの端末装置にも付与されていない状態であることを示す発言権取得可能状態提示音声の出力を停止する、あるいは、上記発言権取得可能状態提示音声の出力の音量を低下させることを特徴とする。【０２１４】  また、本発明に係る電子会議管理装置は、相互に通信可能な複数の端末装置のいずれかに発言権を付与する電子会議管理装置であって、いずれかの端末装置から発言権獲得要求を受信した場合、その旨を上記端末装置に通知することにより、当該端末装置において、発言権がいずれの端末装置にも付与されていない状態であることを示す発言権取得可能状態提示音声の出力を停止させる、あるいは、上記発言権取得可能状態提示音声の出力の音量を低下させる発言権状態提示制御手段を備えることを特徴としている。【０２１５】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権状態提示制御手段が、いずれかの端末装置から発言権獲得要求を受信した場合、その旨を端末装置へ通知することにより、発言権がいずれの端末装置にも付与されていない状態であることを示す発言権取得可能状態提示音声の出力を停止させる、あるいは、上記発言権取得可能状態提示音声の出力の音量を低下させることを特徴としている。【０２１６】  上記の構成により、電子会議の際、上記電子会議管理装置は、いずれかの端末装置から発言権獲得要求��受信した場合、その旨を端末装置へ通知する。そして、端末装置では、上記通知を受信することにより、発言権がいずれの端末装置にも付与されていない状態であることを示す発言権取得可能状態提示音声の出力の停止する、あるいは、発言権取得可能状態提示音声の出力の音量を低下させる。よって、他の端末装置では、発言権取得可能状態提示音声の出力が停止したこと、あるいは、発言権取得可能状態提示音声の出力の音量が低下したことによって、誰かに発言権が付与されたことが確認できるとともに、音声に妨げられずに発言を聞くことができる。【０２１７】  なお、発言権取得可能状態提示音声の出力の音量を低下させた場合には、発言権取得可能状態提示音声はＢＧＭ的に出力されることになる。また、電子会議管理装置からのコマンドに従って停止あるいは音量が低下させられる、端末装置における発言権取得可能状態提示音声の出力は、後述するように電子会議管理装置からの出力コマンドに従って開始されたものであってもよいが、それ以外のトリガ、例えば、端末装置のユーザの指示によって開始されたものであってもよい。【０２１８】  さらに、本発明に係る電子会議システムは、上記電子会議管理装置は、発言権が付与された端末装置からの通話データから発言の内容を認識する音声認識手段をさらに備え、上記発言権状態提示制御手段が、上記音声認識手段が認識した内容に基づいて、端末装置へ出力を指示する発言権取得可能状態提示音声を選択するものであることを特徴としている。【０２１９】  さらに、本発明に係る電子会議システムは、発言権が付与された端末装置からの通話データから発言の内容を認識する音声認識手段をさらに備え、上記発言権状態提示制御手段が、上記音声認識手段が認識した内容に基づいて、端末装置へ出力を指示する発言権取得可能状態提示音声を選択するものであることを特徴としている。【０２２０】  上記の構成により、さらに、上記電子会議管理装置は、発言の内容を認識し、それに基づいて、端末装置へ出力を指示する発言権取得可能状態提示音声を選択する。よって、端末装置において、話題に関連する発言権取得可能状態提示音声を出力することができる。その結果、電子会議に途中から参加した人にも話題が理解しやすい。【０２２１】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信し、発言権を付与する発言権管理手段と、上記発言権管理手段が端末装置に発言権を付与した場合、当該端末装置に対応付けられた端末識別音声の出力を指示する出力コマンドを他の端末装置に対して送信する発言権状態提示制御手段とを備えることを特徴としている。【０２２２】  また、本発明に係る電子会議管理装置は、相互に通信可能な複数の端末装置のいずれかに発言権を付与する電子会議管理装置であって、いずれかの端末装置から発言権獲得要求を受信し、発言権を付与する発言権管理手段と、上記発言権管理手段が端末装置に発言権を付与した場合、当該端末装置に対応付けられた端末識別音声の出力を指示する出力コマンドを他の端末装置に対��て送信する発言権状態提示制御手段とを備えることを特徴としている。【０２２３】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権管理手段が、いずれかの端末装置から発言権獲得要求を受信し、発言権を付与した場合に、上記電子会議管理装置の発言権状態提示制御手段が、当該端末装置に対応付けられた端末識別音声の出力を指示する出力コマンドを他の端末装置に対して送信することを特徴としている。【０２２４】  上記の構成により、電子会議の際、上記電子会議管理装置が、いずれかの端末装置から発言権獲得要求を受信し、発言権を付与した場合に、当該端末装置に対応付けられた端末識別音声の出力を指示する出力コマンドを他の端末装置に対して送信する。よって、他の端末装置において、発言権が付与された端末装置に対応付けられた端末識別音声を出力できる。それゆえ、参加者は、音声によって誰に発言権が付与されたかが確認できる。【０２２５】  また、本発明に係る電子会議システムは、相互に通信可能な複数の端末装置と、該端末装置に発言権を付与する電子会議管理装置とを備える電子会議システムであって、上記電子会議管理装置は、いずれかの端末装置から発言権獲得要求を受信し、発言権を付与する発言権管理手段と、上記発言権管理手段が端末装置に発言権を付与した場合、発言権を付与した端末装置を識別するための端末識別子を、他の端末装置に対して送信することにより、他の端末装置において、上記端末識別子で識別された端末装置に対応付けられた端末識別音声を出力させる発言権状態提示制御手段とを備えることを特徴としている。【０２２６】  また、本発明に係る電子会議管理装置は、相互に通信可能な複数の端末装置のいずれかに発言権を付与する電子会議管理装置であって、いずれかの端末装置から発言権獲得要求を受信し、発言権を付与する発言権管理手段と、上記発言権管理手段が端末装置に発言権を付与した場合、発言権を付与した端末装置を識別するための端末識別子を、他の端末装置に対して送信することにより、他の端末装置において、端末識別子で識別された端末装置に対応付けられた端末識別音声を出力させる発言権状態提示制御手段とを備えることを特徴としている。【０２２７】  また、本発明に係る電子会議管理方法は、相互に通信可能な複数の端末装置と、該端末装置に発言権を付与する電子会議管理装置とを備える電子会議システムにおける電子会議管理方法であって、上記電子会議管理装置の発言権管理手段が、いずれかの端末装置から発言権獲得要求を受信し、発言権を付与した場合に、上記電子会議管理装置の発言権状態提示制御手段が、発言権を付与した端末装置を識別するための端末識別子を、他の端末装置に対して送信することにより、他の端末装置において、端末識別子で識別された端末装置に対応付けられた端末識別音声を出力させることを特徴としている。【０２２８】  上記の構成により、電子会議の際、上記電子会議管理装置が、いずれかの端末装置から発言権獲得要求を受信し、発言権を付与した場合に、当該端末装置を識別する��めの端末識別子を、他の端末装置に対して送信する。そして、他の端末装置においては、受信した端末識別子に対応付けられた端末識別音声を出力する。それゆえ、参加者は、音声によって誰に発言権が付与されたかが確認できる。【０２２９】  さらに、本発明に係る電子会議システムは、上記電子会議管理装置は、発言権が付与された端末装置からの通話データから発言の内容を認識する音声認識手段をさらに備え、上記発言権状態提示制御手段が、上記音声認識手段が認識した内容に基づいて、端末装置へ出力を指示する発言権取得可能状態提示音声を選択するものであることを特徴としている。【０２３０】  上記の構成により、さらに、上記電子会議管理装置は、発言の内容を認識し、それに基づいて、端末装置へ出力を指示する発言権取得可能状態提示音声を選択する。よって、端末装置において、話題に関連する発言権取得可能状態提示音声を出力することができる。その結果、電子会議に途中から参加した人にも話題が理解しやすい。【０２３１】  さらに、本発明に係る電子会議システムは、上記電子会議管理装置は、発言権が付与された端末装置からの通話データから参加者の発話を検知する発話検知手段をさらに備え、上記発言権状態提示制御手段は、上記発話検知手段が発話を検知した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信するものであることを特徴としている。【０２３２】  さらに、本発明に係る電子会議システムは、発言権が付与された端末装置からの通話データから参加者の発話を検知する発話検知手段をさらに備え、上記発言権状態提示制御手段は、上記発話検知手段が発話を検知した場合、発言権が付与された端末装置に対応付けられた端末識別音声の出力の停止を指示するコマンド、あるいは、上記端末識別音声の出力の音量を低下させることを指示するコマンドを他の端末装置に対して送信するものであることを特徴としている。【０２３３】  上記の構成により、さらに、電子会議の際、上記電子会議管理装置は、発話を検知したときに、発言権が付与された端末装置に対応付けられた端末識別音声の出力の停止を指示するコマンド、あるいは、端末識別音声の出力の音量を低下させることを指示するコマンドを他の端末装置に対して送信する。よって、他の端末装置では、それまでの端末識別音声の出力が停止したこと、あるいは、出力の音量が低下したことによって、発言が開始されたことが確認できるとともに、音声に妨げられずに発言を聞くことができる。なお、端末識別音声の出力の音量を低下させた場合には、音声はＢＧＭ的に出力されることになる。【０２３４】  さらに、本発明に係る電子会議システムは、上記電子会議管理装置は、発言権が付与された端末装置からの通話データから参加者の発話を検知する発話検知手段をさらに備え、上記発言権状態提示制御手段は、上記発話検知手段が発話を検知した場合、その旨を端末装置に通知することにより、当該端末装置において、発言権がいずれの端末装置にも付与されていない状態であるこ��を示す発言権取得可能状態提示音声の出力の停止を指示させる、あるいは、上記発言権取得可能状態提示音声の出力の音量を低下させることを特徴としている。【０２３５】  さらに、本発明に係る電子会議管理装置は、発言権が付与された端末装置からの通話データから参加者の発話を検知する発話検知手段をさらに備え、上記発言権状態提示制御手段は、上記発話検知手段が発話を検知した場合、発言が開始されたことを他の端末装置に対して通知することにより、該端末装置において、発言権が付与された端末装置に対応付けられた端末識別音声の出力を停止させる、あるいは、上記端末識別音声の出力の音量を低下させることを特徴としている。【０２３６】  上記の構成により、さらに、電子会議の際、上記電子会議管理装置は、発話を検知したときに、発言が開始されたことを他の端末装置に対して通知する。そして、他の端末装置においては、上記通知を受信することにより、発言権が付与された端末装置に対応付けられた端末識別音声の出力の停止を指示する、あるいは、端末識別音声の出力の音量を低下させる。よって、他の端末装置では、それまでの端末識別示音声の出力が停止したこと、あるいは、出力の音量が低下したことによって、発言が開始されたことが確認できるとともに、音声に妨げられずに発言を聞くことができる。なお、端末識別音声の出力の音量を低下させた場合には、音声はＢＧＭ的に出力されることになる。【０２３７】  さらに、本発明に係る電子会議システムは、上記電子会議管理装置の発言権管理手段が付与する発言権には発言可能な期間である制限時間が設定されており、上記電子会議管理装置の発言権状態提示制御手段が出力を指示する上記発言権取得可能状態提示音声は、上記制限時間の終了時に出力が終了するように作成されていることを特徴としている。【０２３８】  さらに、本発明に係る電子会議管理装置は、上記発言権管理手段が付与する発言権には発言可能な期間である制限時間が設定されており、上記発言権状態提示制御手段が出力を指示する上記端末識別音声は、上記制限時間の終了時に出力が終了するように作成されていることを特徴としている。【０２３９】  上記の構成により、さらに、端末装置では、発言権の制限時間で終了するように端末識別音声を出力することができる。よって、参加者は、音声によって誰に発言権が付与されたかが確認できると同時に、制限時間内に終了するように加工された音声を出力することによって発言権の制限時間を確認できる。【０２４０】  さらに、本発明に係る電子会議システムは、上記電子会議管理装置の発言権状態提示制御手段が出力を指示する上記発言権取得可能状態提示音声は、上記制限時間の終了が近づくにつれて音声の速度が変化するように作成されていることを特徴としている。【０２４１】  さらに、本発明に係る電子会議管理装置は、上記発言権状態提示制御手段が出力を指示する上記端末識別音声は、上記制限時間の終了が近づくにつれて音声の速度が変化するように作成されていることを特徴としている。【０２４２】  上記の構成により、さらに、発言権の制限時間の終了が近づくにつれて、端末識別音声データの再生速度が変化するので、発言権の制限時間が確認でき、発言内容を調���することができる。【０２４３】  さらに、本発明に係る電子会議システムは、上記電子会議管理装置は、音声データを格納した記憶部をさらに備え、上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴としている。【０２４４】  さらに、本発明に係る電子会議管理装置は、音声データを格納した記憶部をさらに備え、上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴としている。【０２４５】  上記の構成により、さらに、音声データを上記電子会議管理装置の記憶部に格納しておき、必要な音声データのみを端末装置へ出力コマンドとともに送信する。よって、端末装置に不必要な音声データを送信する必要がなく、また、格納する必要もない。【０２４６】  さらに、本発明に係る電子会議システムは、上記電子会議管理装置は、音声データを格納した記憶部をさらに備え、上記発言権状態提示制御手段が、発言権の状態を端末装置へ通知する際、発言権取得可能状態提示音声データ、端末識別音声データを上記記憶部より読み出して端末装置へ送信するものであることを特徴としている。【０２４７】  さらに、本発明に係る電子会議管理装置は、音声データを格納した記憶部をさらに備え、上記発言権状態提示制御手段が、発言権の状態を端末装置へ通知する際、発言権取得可能状態提示音声データ、端末識別音声データを上記記憶部より読み出して端末装置へ送信するものであることを特徴としている。【０２４８】  上記の構成により、さらに、音声データを上記電子会議管理装置の記憶部に格納しておき、必要な音声データのみを端末装置へ発言権の状態の通知とともに送信する。よって、端末装置に不必要な音声データを送信する必要がなく、また、格納する必要もない。【０２４９】  また、本発明に係る端末装置は、相互に通信可能な複数の端末装置と、該端末装置に発言権を付与する電子会議管理装置とを備える電子会議システムを構成する端末装置であって、自端末が発言権を開放してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声を出力する発言権状態提示手段を備えることを特徴としている。【０２５０】  上記の構成により、各端末装置において、自端末が発言権を開放してから所定時間、自端末からの発言権獲得要求がない場合、あるいは、電子会議管理装置から他の端末装置に発言権が付与されたことの通知がない場合に、発言権がいずれの端末装置にも付与されていないと判断し、発言権がいずれの端末装置にも付与されていない旨を示す発言権取得可能状態提示音声を出力する。よって、参加者は発言権を要求できることを音声で確認できる。【０２５１】  また���本発明に係る端末装置は、相互に通信可能な複数の端末装置と、該端末装置に発言権を付与する電子会議管理装置とを備える電子会議システムを構成する端末装置であって、他の端末装置からの最後の通信を受信してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声の出力を開始する発言権状態提示手段を備えることを特徴としている。【０２５２】  上記の構成により、各端末装置において、他の端末装置からの最後の通信を受信してから所定時間、自端末からの発言権獲得要求がない場合、あるいは、電子会議管理装置から他の端末装置に発言権が付与されたことの通知がない場合に、発言権がいずれの端末装置にも付与されていないと判断し、発言権がいずれの端末装置にも付与されていない旨を示す発言権取得可能状態提示音声を出力する。よって、参加者は発言権を要求できることを音声で確認できる。【０２５３】  さらに、本発明に係る端末装置は、通話データから発言の内容を認識する音声認識手段をさらに備え、上記発言権状態提示手段が、上記音声認識手段が認識した内容に基づいて、再生する発言権取得可能状態提示データを選択するものであることを特徴としている。【０２５４】  上記の構成により、さらに、端末装置において、他の端末装置からの通話データから発言の内容を認識して、その内容に基づいて、再生する発言権取得可能状態提示データを選択することができる。よって、端末装置において、話題に関連する発言権取得可能状態提示音声データを再生することができる。その結果、電子会議に途中から参加した人にも話題が理解しやすい。【０２５５】  また、本発明に係る端末装置は、相互に通信可能な複数の端末装置と、該端末装置に発言権を付与する電子会議管理装置とを備える電子会議システムを構成する端末装置であって、上記電子会議管理装置からいずれの端末装置に発言権が付与されたかを示す発言権情報を受信する発言権情報取得手段と、発言権が付与された端末装置に対応付けられた端末識別音声データを記憶部より読み出して再生する発言権状態提示手段とを備えることを特徴としている。【０２５６】  上記の構成により、端末装置において、発言権が付与された端末装置に対応付けられた端末識別音声データを記憶部より読み出して再生することができる。よって、参加者は、端末識別音声データを聞くことで、誰に発言権が付与されているのかを確認できる。また、電子会議管理装置からはいずれの端末装置に発言権が付与されたかを示す発言権情報のみを送信すればよいため、電子会議管理装置の構成が簡潔である。【０２５７】  さらに、本発明に係る電子会議システムは、上記電子会議管理装置の発言権状態提示制御手段は、発言権がいずれの端末装置にも付与されていないとき、その旨を示す音声データの再生を指示する再生コマンドを端末装置へ送信するものであってもよい。【０２５８】  また、本発明に係る電子会議管理装置は、上記発言権状態提示制御手段は、発言権がいずれの端末装置にも付与されていないとき、その旨を示す音声データの再生を指示す��再生コマンドを端末装置へ送信するものであってもよい。【０２５９】  上記の構成により、さらに、電子会議の際、上記電子会議管理装置は、発言権がいずれの端末装置にも付与されていないとき、その旨を示す音声データの再生を指示する再生コマンドを端末装置へ送信し、いずれかの端末装置から発言権獲得要求を受信した場合、それまでの音声データの再生の停止を指示するコマンド、あるいは、上記音声データの再生の音量を低下させることを指示するコマンドを他の端末装置に対して送信する。【０２６０】  よって、参加者の端末装置では、発言権がいずれの端末装置にも付与されていないときに、その旨を示す音声データを再生できる。加えて、誰かに発言権が付与されたときには、音声データの再生が停止したこと、あるいは、音声データの再生の音量が低下したことによって、誰かに発言権が付与されたを確認できるとともに、音声に妨げられずに発言を聞くことが可能となる。なお、音声データの再生の音量を低下させた場合には、音声データはＢＧＭ的に再生されることになる。【０２６１】  さらに、本発明に係る電子会議システムは、上記電子会議管理装置の発言権状態提示制御手段が再生を指示する上記音声データが、コマーシャルであることを特徴としている。【０２６２】  また、本発明に係る電子会議管理装置は、上記電子会議管理装置の発言権状態提示制御手段が再生を指示する上記音声データが、コマーシャルであることを特徴としている。【０２６３】  上記の構成により、さらに、話題に関連するＣＭの音声データを再生することができる。その結果、電子会議の参加者に話題に関連したＣＭを提示できるので、広告効果が高い。【０２６４】  最後に、ＰｏＣサーバ１０の発言権管理部１１、発言権状態提示制御部１２、発話検知部１５、音声認識部１６、提示用データ作成部１７、および、携帯電話４０の発言権獲得／解放部６１、発言権情報取得部６２、発言権状態提示部６３は、ハードウェアロジックによって構成してもよいし、次のようにＣＰＵを用いてソフトウェアによって実現してもよい。【０２６５】  すなわち、ＰｏＣサーバ１０および携帯電話４０は、各機能を実現する制御プログラムの命令を実行するＣＰＵ（ｃｅｎｔｒａｌ  ｐｒｏｃｅｓｓｉｎｇ  ｕｎｉｔ）、上記プログラムを格納したＲＯＭ（ｒｅａｄ  ｏｎｌｙ  ｍｅｍｏｒｙ）の、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアであるＰｏＣサーバ１０および携帯電話４０の制御プログラムのプログラムコード（実行形式プログラム、中間コードプログラム、ソースプログラム）をコンピュータで読み取り可能に記録した記録媒体を、上記ＰｏＣサーバ１０および携帯電話４０に供給し、そのコンピュータ（またはＣＰＵやＭＰＵ）が記録媒体に記録されているプログラムコードを読み出し実行することによっても、達成可能である。【０２６６】  上記記録媒体としては、例えば、磁気テープやカセットテープ等のテープ系、フロッピー（登録商標）ディスク／ハードディスク等の磁気ディスクやＣＤ−Ｒ���Ｍ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０２６７】  また、ＰｏＣサーバ１０および携帯電話４０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２６８】  本発明の電子会議システムによれば、発言権の所在に応じた音声を端末装置で出力するため、ユーザは端末装置を耳に当てた状態でも、音声を聞くだけで発言権の所在を認識できる。したがって、本発明は、例えば携帯電話網を介した携帯電話向けのＰｏＣ通信システムによる多地点の電子会議システムに、好適に用いることができる。【０２６９】  また、本発明の端末装置は、通信機能を有しておればよく、携帯電話、ポケットベル、ＰＤＡ（Ｐｅｒｓｏｎａｌ  Ｄｉｇｉｔａｌ  Ａｓｓｉｓｔａｎｔ）などの携帯用端末装置や、パーソナルコンピュータ、ノートパソコンなどの各種情報処理装置、あるいは、テレビ放送受信機、音楽再生装置などの各種視聴覚機器に適用することができる。
【図１】
2007007847.tif 000002
【図２】
2007007847.tif 000003
【図３】
2007007847.tif 000004
【図４】
2007007847.tif 000005
【図５】
2007007847.tif 000006
【図６】
2007007847.tif 000007
【図７】
2007007847.tif 000008
【図８】
2007007847.tif 000009
【図９】
2007007847.tif 000010
【図１０】
2007007847.tif 000011
【図１１】
2007007847.tif 000012
【図１２】
2007007847.tif 000013
【手続補正書】
【提出日】平成18年11月9日(2006.11.9)
【手続補正１】
【補正対象書類名】特許請求の範囲
【補正対象項目名】請求の範囲
【補正方法】変更
【補正の内容】
【書類名】請求の範囲
【請求項１】  相互に通信可能な複数の端末装置と、
該端末装置に発言権を付与する電子会議管理装置とを備え、
上記端末装置は、無線通信部と、音声入力部と、音声出力部と、発言権獲得要求あるいは発言権解放要求を送信する発言権獲得／解放手段とを備えており、
上記端末装置、上記電子会議管理装置のいずれかが、発言権がいずれの端末装置にも付与されていない状態を検知したとき、
上記端末装置、上記電子会議管理装置のいずれかが、上記状態を示す発言権取得可能状態提示音声を上記端末装置の上記音声出力部から出力する発言権状態提示制御手段を備えることを特徴とする電子会議システム。
【請求項２】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、発言権がいずれの端末装置にも付与されていない状態であるとき、上記状態を示す発言権取得可能状態提示音声の上記音声出力部からの出力を指示する出力コマンドを端末装置へ送信する発言権状態提示制御手段を備えることを特徴とする電子会議システム。
【請求項３】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、発言権がいずれの端末装置にも付与されていない状態であるとき、上記状態を端末装置へ通知することにより、該端末装置において上記状態を示す発言権取得可能状態提示音声を上記音声出力部から出力させる発言権状態提示制御手段を備えることを特徴とする電子会議システム。
【請求項４】  上記発言権状態提示制御手段は、上記発言権取得可能状態提示音声を、上記出力コマンドとともに端末装置へ送信することを特徴とする請求項２に記載の電子会議システム。
【請求項５】  上記端末装置は、上記発言権取得可能状態提示音声データを記憶部から読み出して再生する発言権状態提示手段を備えることを特徴とする請求項２または３に記載の電子会議システム。
【請求項６】  上記端末装置における発言権取得可能状態提示音声の出力は、発言権がいずれの端末装置にも付与されていない状態が一定時間経過してから行われることを特徴とする請求項２または３に記載の電子会議システム。
【請求項７】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、いずれかの端末装置から発言権獲得要求を受信した場合、発言権がいずれの端末装置にも付与されていない状態であることを示す発言権取得可能状態提示音声の上記音声出力部からの出力の停止を指示するコマンド、あるいは、上記発言権取得可能状態提示音声の上記音声出力部からの出力の音量を低下させることを指示するコマンドを他の端末装置に対して送信する発言権状態提示制御手段を備えることを特徴とする電子会議システム。
【請求項８】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、いずれかの端末装置が発言権を獲得した場合、その旨を上記端末装置に通知し、
上記端末装置は、上記電子会議管理装置から、いずれかの端末装置が発言権を獲得したことを示す上記通知を受信すると、発言権がいずれの端末装置にも付与されていない状態であることを示す発言権取得可能状態提示音声の上記音声出力部からの出力を停止する、あるいは、上記発言権取得可能状態提示音声の上記音声出力部からの出力の音量を低下させることを特徴とする電子会議システム。
【請求項９】  上記電子会議管理装置は、
発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項２に記載の電子会議システム。
【請求項１０】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
発言権がいずれの端末装置にも付与されていない状態であるとき、上記状態を示す発言権取得可能状態提示音声の上記音声出力部からの出力を指示する出力コマンドを端末装置へ送信する発言権状態提示制御手段を備えることを特徴とする電子会議管理装置。
【請求項１１】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
発言権がいずれの端末装置にも付与されていない状態であるとき、上記状態を端末装置へ通知することにより、該端末装置において、上記状態を示す発言権取得可能状態提示音声を上記音声出力部から出力させる発言権状態提示制御手段を備えることを特徴とする電子会議管理装置。
【請求項１２】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
いずれかの端末装置から発言権獲得要求を受信した場合、発言権がいずれの端末装置にも付与されていない状態であることを示す発言権取得可能状態提示音声の上記音声出力部からの出力の停止を指示するコマンド、あるいは、上記発言権取得可能状態提示音声の上記音声出力部からの出力の音量を低下させることを指示するコマンドを他の端末装置に対して送信する発言権状態提示制御手段を備えることを特徴とする電子会議管理装置。
【請求項１３】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
いずれかの端末装置から発言権獲得要求を受信した場合、その旨を上記端末装置に通知することにより、当該端末装置において、発言権がいずれの端末装置にも付与されていない状態であることを示す発言権取得可能状態提示音声の上記音声出力部からの出力を停止させる、あるいは、上記発言権取得可能状態提示音声の上記音声出力部からの出力の音量を低下させる発言権状態提示制御手段を備えることを特徴とする電子会議管理装置。
【請求項１４】  発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項１０に記載の電子会議管理装置。
【請求項１５】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、
いずれかの端末装置から発言権獲得要求を受信し、発言権を付与する発言権管理手段と、
上記発言権管理手段が端末装置に発言権を付与した場合、当該端末装置に対応付けられた端末識別音声の上記音声出力部からの出力を指示する出力コマンドを他の端末装置に対して送信する発言権状態提示制御手段とを備えることを特徴とする電子会議システム。
【請求項１６】  相互に通信可能な複数の端末装置と、該端末装置に発言権を付与する電子会議管理装置とを備える電子会議システムであって、
上記端末装置は、無線通信部と、音声入力部と、音声出力部と、発言権獲得要求あるいは発言権解放要求を送信する発言権獲得／解放手段とを備えており、
上記電子会議管理装置は、
いずれかの端末装置から発言権獲得要求を受信し、発言権を付与する発言権管理手段と、
上記発言権管理手段が端末装置に発言権を付与した場合、発言権を付与した端末装置を識別するための端末識別子を、他の端末装置に対して送信することにより、他の端末装置において、上記端末識別子で識別された端末装置に対応付けられた端末識別音声を上記音声出力部から出力させる発言権状態提示制御手段とを備えることを特徴とする電子会議システム。
【請求項１７】  上記電子会議管理装置は、
発言権が付与された端末装置からの通話データから発言の内容を認識する音声認識手段をさらに備え、
上記発言権状態提示制御手段が、上記音声認識手段が認識した内容に基づいて、端末装置へ出力を指示する発言権取得可能状態提示音声を選択するものであることを特徴とする請求項１５に記載の電子会議システム。
【請求項１８】  上記電子会議管理装置は、
発言権が付与された端末装置からの通話データから参加者の発話を検知する発話検知手段をさらに備え、
上記発言権状態提示制御手段は、上記発話検知手段が発話を検知した場合、発言権がいずれの端末装置にも付与されていない状態であることを示す発言権取得可能状態提示音声の出力の停止を指示するコマンド、あるいは、上記発言権取得可能状態提示音声の出力の音量を低下させることを指示するコマンドを他の端末装置に対して送信するものであることを特徴とする請求項１５に記載の電子会議システム。
【請求項１９】  上記電子会議管理装置は、
発言権が付与された端末装置からの通話データから参加者の発話を検知する発話検知手段をさらに備え、
上記発言権状態提示制御手段は、上記発話検知手段が発話を検知した場合、その旨を端末装置に通知することにより、当該端末装置において、発言権がいずれの端末装置にも付与されていない状態であることを示す発言権取得可能状態提示音声の出力の停止を指示させる、あるいは、上記発言権取得可能状態提示音声の出力の音量を低下させることを特徴とする請求項１６に記載の電子会議システム。
【請求項２０】  上記電子会議管理装置の発言権管理手段が付与する発言権には発言可能な期間である制限時間が設定されており、
上記電子会議管理装置の発言権状態提示制御手段が出力を指示する上記発言権取得可能状態提示音声は、上記制限時間の終了時に出力が終了するように作成されていることを特徴とする請求項１５、１６、１８、１９のいずれか１項に記載の電子会議システム。
【請求項２１】  上記電子会議管理装置の発言権状態提示制御手段が出力を指示する上記発言権取得可能状態提示音声は、上記制限時間の終了が近づくにつれて音声の速度が変化するように作成されていることを特徴とする請求項２０に記載の電子会議システム。
【請求項２２】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
いずれかの端末装置から発言権獲得要求を受信し、発言権を付与する発言権管理手段と、
上記発言権管理手段が端末装置に発言権を付与した場合、当該端末装置に対応付けられた端末識別音声の上記音声出力部からの出力を指示する出力コマンドを他の端末装置に対して送信する発言権状態提示制御手段とを備えることを特徴とする電子会議管理装置。
【請求項２３】  相互に通信可能な複数の端末装置のいずれかに発言権を付与する電子会議管理装置であって、
上記端末装置は、無線通信部と、音声入力部と、音声出力部と、発言権獲得要求あるいは発言権解放要求を送信する発言権獲得／解放手段とを備えており、
いずれかの端末装置から発言権獲得要求を受信し、発言権を付与する発言権管理手段と、
上記発言権管理手段が端末装置に発言権を付与した場合、発言権を付与した端末装置を識別するための端末識別子を、他の端末装置に対して送信することにより、他の端末装置において、端末識別子で識別された端末装置に対応付けられた端末識別音声を上記音声出力部から出力させる発言権状態提示制御手段とを備えることを特徴とする電子会議管理装置。
【請求項２４】  発言権が付与された端末装置からの通話データから参加者の発話を検知する発話検知手段をさらに備え、
上記発言権状態提示制御手段は、上記発話検知手段が発話を検知した場合、発言権が付与された端末装置に対応付けられた端末識別音声の出力の停止を指示するコマンド、あるいは、上記端末識別音声の出力の音量を低下させることを指示するコマンドを他の端末装置に対して送信するものであることを特徴とする請求項２２に記載の電子会議管理装置。
【請求項２５】  発言権が付与された端末装置からの通話データから参加者の発話を検知する発話検知手段をさらに備え、
上記発言権状態提示制御手段は、上記発話検知手段が発話を検知した場合、発言が開始されたことを他の端末装置に対して通知することにより、該端末装置において、発言権が付与された端末装置に対応付けられた端末識別音声の出力を停止させる、あるいは、上記端末識別音声の出力の音量を低下させることを特徴とする請求項２３に記載の電子会議管理装置。
【請求項２６】  上記発言権管理手段が付与する発言権には発言可能な期間である制限時間が設定されており、
上記発言権状態提示制御手段が出力を指示する上記端末識別音声は、上記制限時間の終了時に出力が終了するように作成されていることを特徴とする請求項２２〜２５のいずれか１項に記載の電子会議管理装置。
【請求項２７】  上記発言権状態提示制御手段が出力を指示する上記端末識別音声は、上記制限時間の終了が近づくにつれて音声の速度が変化するように作成されていることを特徴とする請求項２６に記載の電子会議管理装置。
【請求項２８】  上記電子会議管理装置は、
音声データを格納した記憶部をさらに備え、
上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴とする請求項１〜９、１５〜２１のいずれか１項に記載の電子会議システム。
【請求項２９】  上記電子会議管理装置は、
音声データを格納した記憶部をさらに備え、
上記発言権状態提示制御手段が、発言権の状態を端末装置へ通知する際、発言権取得可能状態提示音声データ、端末識別音声データを上記記憶部より読み出して端末装置へ送信するものであることを特徴とする請求項１〜９、１５〜２１のいずれか１項に記載の電子会議システム。
【請求項３０】  音声データを格納した記憶部をさらに備え、
上記発言権状態提示制御手段が、発言権取得可能状態提示音声、端末識別音声の出力を指示する出力コマンドを端末装置へ送信する際、当該発言権取得可能状態提示音声データ、端末識別音声データを上記記憶部より読み出して端末装置へ送信するものであることを特徴とする請求項１０〜１４、２２〜２７のいずれか１項に記載の電子会議管理装置。
【請求項３１】  音声データを格納した記憶部をさらに備え、
上記発言権状態提示制御手段が、発言権の状態を端末装置へ通知する際、発言権取得可能状態提示音声データ、端末識別音声データを上記記憶部より読み出して端末装置へ送信するものであることを特徴とする請求項１０〜１４、２２〜２７のいずれか１項に記載の電子会議管理装置。
【請求項３２】  相互に通信可能な複数の端末装置と、該端末装置に発言権を付与する電子会議管理装置とを備える電子会議システムを構成する端末装置であって、
無線通信部と、音声入力部と、音声出力部と、発言権獲得要求あるいは発言権解放要求を送信する発言権獲得／解放手段とを備えており、
自端末が発言権を開放してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声を上記音声出力部から出力する発言権状態提示手段を備えることを特徴とする端末装置。
【請求項３３】  相互に通信可能な複数の端末装置と、該端末装置に発言権を付与する電子会議管理装置とを備える電子会議システムを構成する端末装置であって、
無線通信部と、音声入力部と、音声出力部と、発言権獲得要求あるいは発言権解放要求を送信する発言権獲得／解放手段とを備えており、
他の端末装置からの最後の通信を受信してから所定時間、自端末からの発言権獲得要求がない場合、あるいは、電子会議管理装置から他の端末装置に発言権が付与されたことの通知がない場合、発言権がいずれの端末装置にも付与されていない旨を示す発言権取得可能状態提示音声の上記音声出力部からの出力を開始する発言権状態提示手段を備えることを特徴とする端末装置。
【請求項３４】  通話データから発言の内容を認識する音声認識手段をさらに備え、
上記発言権状態提示手段が、上記音声認識手段が認識した内容に基づいて、出力する発言権取得可能状態提示を選択するものであることを特徴とする請求項３２または３３に記載の端末装置。
【請求項３５】  相互に通信可能な複数の端末装置と、該端末装置に発言権を付与する電子会議管理装置とを備える電子会議システムを構成する端末装置であって、
無線通信部と、音声入力部と、音声出力部と、発言権獲得要求あるいは発言権解放要求を送信する発言権獲得／解放手段とを備えており、
上記電子会議管理装置からいずれの端末装置に発言権が付与されたかを示す発言権情報を受信する発言権情報取得手段と、
発言権が付与された端末装置に対応付けられた端末識別音声データを記憶部より読み出して再生する発言権状態提示手段とを備えることを特徴とする端末装置。
【請求項３６】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権状態提示制御手段が、発言権がいずれの端末装置にも付与されていない状態であるとき、上記状態であることを示す発言権取得可能状態提示音声の上記音声出力部からの出力を指示する出力コマンドを端末装置へ送信することを特徴とする電子会議管理方法。
【請求項３７】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権状態提示制御手段が、発言権がいずれの端末装置にも付与されていない状態であるとき、上記状態を端末装置へ通知することにより、端末装置において、上記状態であることを示す発言権取得可能状態提示音声を上記音声出力部から出力させることを特徴とする電子会議管理方法。
【請求項３８】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権状態提示制御手段が、いずれかの端末装置から発言権獲得要求を受信した場合、発言権がいずれの端末装置にも付与されていない状態であることを示す発言権取得可能状態提示音声の上記音声出力部からの出力の停止を指示するコマンド、あるいは、上記発言権取得可能状態提示音声の上記音声出力部からの出力の音量を低下させることを指示するコマンドを他の端末装置に対して送信することを特徴とする電子会議管理方法。
【請求項３９】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権状態提示制御手段が、いずれかの端末装置から発言権獲得要求を受信した場合、その旨を端末装置へ通知することにより、発言権がいずれの端末装置にも付与されていない状態であることを示す発言権取得可能状態提示音声の上記音声出力部からの出力を停止させる、あるいは、上記発言権取得可能状態提示音声の上記音声出力部からの出力の音量を低下させることを特徴とする電子会議管理方法。
【請求項４０】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権管理手段が、いずれかの端末装置から発言権獲得要求を受信し、発言権を付与した場合に、
上記電子会議管理装置の発言権状態提示制御手段が、当該端末装置に対応付けられた端末識別音声の上記音声出力部からの出力を指示する出力コマンドを他の端末装置に対して送信することを特徴とする電子会議管理方法。
【請求項４１】  相互に通信可能な複数の端末装置と、該端末装置に発言権を付与する電子会議管理装置とを備える電子会議システムにおける電子会議管理方法であって、
上記端末装置は、無線通信部と、音声入力部と、音声出力部と、発言権獲得要求あるいは発言権解放要求を送信する発言権獲得／解放手段とを備えており、
上記電子会議管理装置の発言権管理手段が、いずれかの端末装置から発言権獲得要求を受信し、発言権を付与した場合に、
上記電子会議管理装置の発言権状態提示制御手段が、発言権を付与した端末装置を識別するための端末識別子を、他の端末装置に対して送信することにより、他の端末装置において、端末識別子で識別された端末装置に対応付けられた端末識別音声を上記音声出力部から出力させることを特徴とする電子会議管理方法。
【請求項４２】  請求項１０〜１４、２２〜２７、３０、３１のいずれか１項に記載の電子会議管理装置を動作させる制御プログラムであって、コンピュータを上記の各手段として機能させるための制御プログラム。
【請求項４３】  請求項３２〜３５のいずれか１項に記載の端末装置を動作させる制御プログラムであって、コンピュータを上記の各手段として機能させるための制御プログラム。
【請求項４４】  請求項４２または４３に記載の制御プログラムを記録したコンピュータ読み取り可能な記録媒体。
【国際調査報告】
2007007847.tif 000014
2007007847.tif 000015
2007007847.tif 000016
2007007847.tif 000017